(57)【要約】  本開示は、ＬＴＥ（Ｌｏｎｇ  Ｔｅｒｍ  Ｅｖｏｌｕｔｉｏｎ）などの４Ｇ（４ｔｈ  ｇｅｎｅｒａｔｉｏｎ）通信システム以降より高いデータ伝送率をサポートするための５Ｇ（５ｔｈ  ｇｅｎｅｒａｔｉｏｎ）又はｐｒｅ−５Ｇ通信システムに関する。無線通信システムにおける端末の動作方法が提供される。本方法は、基地局からシステム情報ブロック１制御リソースセット（ｓｙｓｔｅｍ  ｉｎｆｏｒｍａｔｉｏｎ  ｂｌｏｃｋ  １  ｃｏｎｔｒｏｌ  ｒｅｓｏｕｒｃｅ  ｓｅｔ、ＳＩＢ１  ＣＯＲＥＳＥＴ）構成を含むマスター情報ブロック（ｍａｓｔｅｒ  ｉｎｆｏｒｍａｔｉｏｎ  ｂｌｏｃｋ、ＭＩＢ）を運搬する物理放送チャネル（ｐｈｙｓｉｃａｌ  ｂｒｏａｄｃａｓｔｉｎｇ  ｃｈａｎｎｅｌ、ＰＢＣＨ）を含む同期信号（ｓｙｎｃｈｒｏｎｉｚａｔｉｏｎ  ｓｉｇｎａｌ、ＳＳ）／ＰＢＣＨブロックを受信する過程を含み、前記ＳＩＢ１  ＣＯＲＥＳＥＴ構成は周波数位置、前記ＳＳ／ＰＢＣＨブロックと関連付けられたＳＩＢ１  ＣＯＲＥＳＥＴを含むリソースブロック（ｒｅｓｏｕｒｃｅ  ｂｌｏｃｋ、ＲＢ）の個数及び前記ＳＩＢ１  ＣＯＲＥＳＥＴの時間領域リソースの情報を含み、前記周波数位置を含む初期活性帯域幅部分（ｂａｎｄｗｉｄｔｈ  ｐａｒｔ、ＢＷＰ）、前記ＳＩＢ１  ＣＯＲＥＳＥＴを含む前記ＲＢの個数及び残りの最小システム情報（ｒｅｍａｉｎｉｎｇ  ｍｉｎｉｍｕｍ  ｓｙｓｔｅｍ  ｉｎｆｏｒｍａｔｉｏｎ、ＲＭＳＩ）のヌメロロジー（ｎｕｍｅｒｏｌｏｇｙ）を決定する過程と、前記基地局から前記ＳＩＢ１  ＣＯＲＥＳＥＴ内の少なくとも１つの時間−周波数リソースにマッピングされた物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を受信する過程をさらに含み、前記ＰＤＣＣＨはＳＩＢ１を含む物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）のスケジューリング情報を含む。
2020504971.tif 000002
【特許請求の範囲】
【請求項１】
無線通信システムにおける端末装置において、
送受信機；及び
少なくとも１つのプロセッサを含み、
前記送受信機は、
基地局からシステム情報ブロック１制御リソースセット（ｓｙｓｔｅｍ  ｉｎｆｏｒｍａｔｉｏｎ  ｂｌｏｃｋ  １  ｃｏｎｔｒｏｌ  ｒｅｓｏｕｒｃｅ  ｓｅｔ、ＳＩＢ１  ＣＯＲＥＳＥＴ）構成を含むマスター情報ブロック（ｍａｓｔｅｒ  ｉｎｆｏｒｍａｔｉｏｎ  ｂｌｏｃｋ、ＭＩＢ）を運搬する物理放送チャネル（ｐｈｙｓｉｃａｌ  ｂｒｏａｄｃａｓｔｉｎｇ  ｃｈａｎｎｅｌ、ＰＢＣＨ）を含む同期信号（ｓｙｎｃｈｒｏｎｉｚａｔｉｏｎ  ｓｉｇｎａｌ、ＳＳ）／ＰＢＣＨブロックを受信するように構成され、
前記ＳＩＢ１  ＣＯＲＥＳＥＴ構成は周波数位置、前記ＳＳ／ＰＢＣＨブロックと関連付けられたＳＩＢ１  ＣＯＲＥＳＥＴを含むリソースブロック（ｒｅｓｏｕｒｃｅ  ｂｌｏｃｋ、ＲＢ）の個数及び前記ＳＩＢ１  ＣＯＲＥＳＥＴの時間領域リソースの情報を含み、
前記少なくとも１つのプロセッサは、
前記周波数位置、前記ＲＢの個数及び前記時間領域リソースの情報に基づいて、前記周波数位置を含む初期活性帯域幅部分（ｂａｎｄｗｉｄｔｈ  ｐａｒｔ、ＢＷＰ）、前記ＳＩＢ１  ＣＯＲＥＳＥＴを含む前記ＲＢの個数及び残りの最小システム情報（ｒｅｍａｉｎｉｎｇ  ｍｉｎｉｍｕｍ  ｓｙｓｔｅｍ  ｉｎｆｏｒｍａｔｉｏｎ、ＲＭＳＩ）のヌメロロジー（ｎｕｍｅｒｏｌｏｇｙ）を決定するように構成され、
前記送受信機は、
前記初期活性ＢＷＰ、前記ＲＢの個数及び前記ヌメロロジーに基づいて、前記基地局から前記ＳＩＢ１  ＣＯＲＥＳＥＴ内の少なくとも１つの時間−周波数リソースにマッピングされた物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を受信するようにさらに構成され、
前記ＰＤＣＣＨはＳＩＢ１を含む物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）のスケジューリング情報を含む、
装置。
【請求項２】
前記ＳＩＢ１  ＣＯＲＥＳＥＴの前記周波数位置は前記ＳＳ／ＰＢＣＨブロックの周波数位置から前記ＳＩＢ１  ＣＯＲＥＳＥＴの帯域幅の周波数オフセットによって構成され、
前記周波数オフセットは前記ＭＩＢに表示される、
請求項１に記載の装置。
【請求項３】
前記ＳＩＢ１を含む前記ＰＤＳＣＨは前記初期活性ＢＷＰ内に限定される、
請求項１に記載の装置。
【請求項４】
前記ＳＩＢ１  ＣＯＲＥＳＥＴの時間領域リソース情報は前記ＳＩＢ１  ＣＯＲＥＳＥＴに対する連続的なシンボルの個数を含む、
請求項１に記載の装置。
【請求項５】
前記ＳＩＢ１  ＣＯＲＥＳＥＴ構成は各スロットでＳＩＢ１  ＣＯＲＥＳＥＴの個数を示す情報をさらに含み、
前記ＳＩＢ１  ＣＯＲＥＳＥＴの個数の候補値は１又は２の内の１つに決定される、
請求項１に記載の装置。
【請求項６】
前記ＳＩＢ１  ＣＯＲＥＳＥＴ構成は前記ＳＩＢ１  ＣＯＲＥＳＥＴの直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボル番号を示す情報をさらに含む、
請求項１に記載の装置。
【請求項７】
前記少なくとも１つのプロセッサは前記ＳＳ／ＰＢＣＨブロックの受信方式に基づいて前記ＳＩＢ１  ＣＯＲＥＳＥＴを受信するために受信（ｒｅｃｅｉｖｅ、ＲＸ）ビームを用いるようにさらに構成された、
請求項１に記載の装置。
【請求項８】
無線通信システムにおける基地局装置において、
送受信機；及び
少なくとも１つのプロセッサを含み、
前記少なくとも１つのプロセッサは、
周波数位置を含む初期活性帯域幅部分（ｂａｎｄｗｉｄｔｈ  ｐａｒｔ、ＢＷＰ）、システム情報ブロック１制御リソースセット（ｓｙｓｔｅｍ  ｉｎｆｏｒｍａｔｉｏｎ  ｂｌｏｃｋ  １  ｃｏｎｔｒｏｌ  ｒｅｓｏｕｒｃｅ  ｓｅｔ、ＳＩＢ１  ＣＯＲＥＳＥＴ）を含むリソースブロック（ｒｅｓｏｕｒｃｅ  ｂｌｏｃｋ、ＲＢ）の個数及び残りの最小システム情報（ｒｅｍａｉｎｉｎｇ  ｍｉｎｉｍｕｍ  ｓｙｓｔｅｍ  ｉｎｆｏｒｍａｔｉｏｎ、ＲＭＳＩ）のヌメロロジー（ｎｕｍｅｒｏｌｏｇｙ）を決定するように構成され、
前記送受信機は、
前記初期活性ＢＷＰ、前記ＲＢの個数及び前記ヌメロロジーに基づいて、端末に前記ＳＩＢ１  ＣＯＲＥＳＥＴ構成を含むマスター情報ブロック（ｍａｓｔｅｒ  ｉｎｆｏｒｍａｔｉｏｎ  ｂｌｏｃｋ、ＭＩＢ）を運搬する物理放送チャネル（ｐｈｙｓｉｃａｌ  ｂｒｏａｄｃａｓｔｉｎｇ  ｃｈａｎｎｅｌ、ＰＢＣＨ）を含む同期信号／物理放送チャネル（ｓｙｎｃｈｒｏｎｉｚａｔｉｏｎ  ｓｉｇｎａｌ／ｐｈｙｓｉｃａｌ  ｂｒｏａｄｃａｓｔｉｎｇ  ｃｈａｎｎｅｌ、ＳＳ／ＰＢＣＨ）ブロックを送信し、
前記初期活性ＢＷＰ、前記ＲＢの個数及び前記ヌメロロジーに基づいて、前記ＳＩＢ１  ＣＯＲＥＳＥＴ内の少なくとも１つの時間−周波数リソースにマッピングされた物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を送信するように構成され、
前記ＰＤＣＣＨはＳＩＢ１を含む物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）のスケジューリング情報を含む、
装置。
【請求項９】
前記ＳＩＢ１  ＣＯＲＥＳＥＴの前記周波数位置は前記ＳＳ／ＰＢＣＨブロックの周波数位置から前記ＳＩＢ１  ＣＯＲＥＳＥＴの帯域幅の周波数オフセットによって構成され、
前記周波数オフセットは前記ＭＩＢに表示される、
請求項８に記載の装置。
【請求項１０】
前記ＳＩＢ１を含む前記ＰＤＳＣＨは前記初期活性ＢＷＰ内に限定される、
請求項８に記載の装置。
【請求項１１】
前記ＳＩＢ１  ＣＯＲＥＳＥＴの時間領域リソース情報は前記ＳＩＢ１  ＣＯＲＥＳＥＴに対する連続的なシンボルの個数を含む、
請求項８に記載の装置。
【請求項１２】
前記ＳＩＢ１  ＣＯＲＥＳＥＴ構成は各スロットでＳＩＢ１  ＣＯＲＥＳＥＴの個数を示す情報をさらに含み、
前記ＳＩＢ１  ＣＯＲＥＳＥＴの個数の候補値は１又は２の内の１つに決定される、
請求項８に記載の装置。
【請求項１３】
前記ＳＩＢ１  ＣＯＲＥＳＥＴ構成は前記ＳＩＢ１  ＣＯＲＥＳＥＴの直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボル番号を示す情報をさらに含む、
請求項８に記載の装置。
【請求項１４】
無線通信システムにおける端末の動作方法において、
基地局からシステム情報ブロック１制御リソースセット（ｓｙｓｔｅｍ  ｉｎｆｏｒｍａｔｉｏｎ  ｂｌｏｃｋ  １  ｃｏｎｔｒｏｌ  ｒｅｓｏｕｒｃｅ  ｓｅｔ、ＳＩＢ１  ＣＯＲＥＳＥＴ）構成を含むマスター情報ブロック（ｍａｓｔｅｒ  ｉｎｆｏｒｍａｔｉｏｎ  ｂｌｏｃｋ、ＭＩＢ）を運搬する物理放送チャネル（ｐｈｙｓｉｃａｌ  ｂｒｏａｄｃａｓｔｉｎｇ  ｃｈａｎｎｅｌ、ＰＢＣＨ）を含む同期信号（ｓｙｎｃｈｒｏｎｉｚａｔｉｏｎ  ｓｉｇｎａｌ、ＳＳ）／ＰＢＣＨブロックを受信する過程を含み、
前記ＳＩＢ１  ＣＯＲＥＳＥＴ構成は周波数位置、前記ＳＳ／ＰＢＣＨブロックと関連付けられたＳＩＢ１  ＣＯＲＥＳＥＴを含むリソースブロック（ｒｅｓｏｕｒｃｅ  ｂｌｏｃｋ、ＲＢ）の個数及び前記ＳＩＢ１  ＣＯＲＥＳＥＴの時間領域リソースの情報を含み、
前記周波数位置、前記ＲＢの個数及び前記時間領域リソースの情報に基づいて、前記周波数位置を含む初期活性帯域幅部分（ｂａｎｄｗｉｄｔｈ  ｐａｒｔ、ＢＷＰ）、前記ＳＩＢ１  ＣＯＲＥＳＥＴを含む前記ＲＢの個数及び残りの最小システム情報（ｒｅｍａｉｎｉｎｇ  ｍｉｎｉｍｕｍ  ｓｙｓｔｅｍ  ｉｎｆｏｒｍａｔｉｏｎ、ＲＭＳＩ）のヌメロロジー（ｎｕｍｅｒｏｌｏｇｙ）を決定する過程と、
前記初期活性ＢＷＰ、前記ＲＢの個数及び前記ヌメロロジーに基づいて、前記基地局から前記ＳＩＢ１  ＣＯＲＥＳＥＴ内の少なくとも１つの時間−周波数リソースにマッピングされた物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を受信する過程をさらに含み、
前記ＰＤＣＣＨはＳＩＢ１を含む物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）のスケジューリング情報を含む、
方法。
【請求項１５】
前記ＳＩＢ１  ＣＯＲＥＳＥＴの前記周波数位置は前記ＳＳ／ＰＢＣＨブロックの周波数位置から前記ＳＩＢ１  ＣＯＲＥＳＥＴの帯域幅の周波数オフセットによって構成され、
前記周波数オフセットは前記ＭＩＢに表示される、
請求項１４に記載の方法。
【発明の詳細な説明】
【技術分野】
【０００１】
本開示は、一般に無線通信システムにおけるシステム情報伝達に関する。より具体的には、本開示は、無線通信システムにおけるシステム情報ブロック伝達及び獲得のための装置及び方法に関する。
【背景技術】
【０００２】
４Ｇ（４ｔｈ  ｇｅｎｅｒａｔｉｏｎ）通信システムの商用化以降、増加の趨勢にある無線データトラフィック需要を充足させるために、改善された５Ｇ（５ｔｈ  ｇｅｎｅｒａｔｉｏｎ）通信システム又はｐｒｅ−５Ｇ通信システムを開発するための努力が注がれている。このような理由で、５Ｇ通信システム又はｐｒｅ−５Ｇ通信システムは、「４Ｇネットワーク以降の（Ｂｅｙｏｎｄ  ４Ｇ  Ｎｅｔｗｏｒｋ）通信システム」又は「ＬＴＥ（Ｌｏｎｇ  Ｔｅｒｍ  Ｅｖｏｌｕｔｉｏｎ）システム以降（Ｐｏｓｔ  ＬＴＥ）のシステム」と呼ばれている。
【０００３】
高いデータ伝送率を達成するために、５Ｇ通信システムは、超高周波（ｍｍＷａｖｅ）帯域（例えば、６０ギガ（６０ＧＨｚ）帯域）での具現が考慮されている。超高周波帯域での電波の経路損失を緩和し電波の伝達距離を増加させるために、５Ｇ通信システムでは、ビームフォーミング（ｂｅａｍｆｏｒｍｉｎｇ）、マッシブマイモ（ｍａｓｓｉｖｅ  ＭＩＭＯ）、全次元ＭＩＭＯ（Ｆｕｌｌ  Ｄｉｍｅｎｓｉｏｎａｌ  ＭＩＭＯ、ＦＤ−ＭＩＭＯ）、アレイアンテナ（ａｒｒａｙ  ａｎｔｅｎｎａ）、アナログビームフォーミング（ａｎａｌｏｇ  ｂｅａｍ−ｆｏｒｍｉｎｇ）及び大規模アンテナ（ｌａｒｇｅ  ｓｃａｌｅ  ａｎｔｅｎｎａ）技術が論議されている。
【０００４】
また、システムネットワークの改善のために、５Ｇ通信システムでは、改善された小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ、ｃｌｏｕｄ  ＲＡＮ）、超高密度ネットワーク（ｕｌｔｒａ−ｄｅｎｓｅ  ｎｅｔｗｏｒｋ）、Ｄ２Ｄ通信（Ｄｅｖｉｃｅ  ｔｏ  Ｄｅｖｉｃｅ  ｃｏｍｍｕｎｉｃａｔｉｏｎ）、無線バックホール（ｗｉｒｅｌｅｓｓ  ｂａｃｋｈａｕｌ）、移動ネットワーク（ｍｏｖｉｎｇ  ｎｅｔｗｏｒｋ）、協調通信（ｃｏｏｐｅｒａｔｉｖｅ  ｃｏｍｍｕｎｉｃａｔｉｏｎ）、ＣｏＭＰ（Ｃｏｏｒｄｉｎａｔｅｄ  Ｍｕｌｔｉ−Ｐｏｉｎｔｓ）、受信干渉除去（ｉｎｔｅｒｆｅｒｅｎｃｅ  ｃａｎｃｅｌｌａｔｉｏｎ ）などの技術開発が行われている。
【０００５】
その他、５Ｇシステムでは、改善された進歩したコーディング変調（Ａｄｖａｎｃｅｄ  Ｃｏｄｉｎｇ  Ｍｏｄｕｌａｔｉｏｎ、ＡＣＭ）技術であるＦＱＡＭ（Ｈｙｂｒｉｄ  Ｆｒｅｑｕｅｎｃｙ  Ｓｈｉｆｔ  Ｋｅｙｉｎｇ  ａｎｄ  Ｑｕａｄｒａｔｕｒｅ  Ａｍｐｌｉｔｕｄｅ  Ｍｏｄｕｌａｔｉｏｎ）及びＳＷＳＣ（Ｓｌｉｄｉｎｇ  Ｗｉｎｄｏｗ  Ｓｕｐｅｒｐｏｓｉｔｉｏｎ  Ｃｏｄｉｎｇ）と、進歩したアクセス技術であるＦＢＭＣ（Ｆｉｌｔｅｒ  Ｂａｎｋ  Ｍｕｌｔｉ  Ｃａｒｒｉｅｒ）、ＮＯＭＡ（Ｎｏｎ−Ｏｒｔｈｏｇｏｎａｌ  Ｍｕｌｔｉｐｌｅ  Ａｃｃｅｓｓ）、及びＳＣＭＡ（Ｓｐａｒｓｅ  Ｃｏｄｅ  Ｍｕｌｔｉｐｌｅ  Ａｃｃｅｓｓ）などが開発されている。
【先行技術文献】
【非特許文献】
【０００６】
【非特許文献１】３ＧＰＰ  ＴＳ  ３６．２１１  ｖ１３．０．０、“Ｅ−ＵＴＲＡ、Ｐｈｙｓｉｃａｌ  ｃｈａｎｎｅｌｓ  ａｎｄ  ｍｏｄｕｌａｔｉｏｎ”
【非特許文献２】３ＧＰＰ  ＴＳ  ３６．２１２  ｖ１３．０．０、“Ｅ−ＵＴＲＡ、Ｍｕｌｔｉｐｌｅｘｉｎｇ  ａｎｄ  Ｃｈａｎｎｅｌ  ｃｏｄｉｎｇ”
【非特許文献３】３ＧＰＰ  ＴＳ  ３６．２１３  ｖ１３．０．０、“Ｅ−ＵＴＲＡ、Ｐｈｙｓｉｃａｌ  Ｌａｙｅｒ  Ｐｒｏｃｅｄｕｒｅｓ”
【非特許文献４】３ＧＰＰ  ＴＳ  ３６．３３１  ｖ１３．０．０、“Ｅ−ＵＴＲＡ、Ｒａｄｉｏ  Ｒｅｓｏｕｒｃｅ  Ｃｏｎｔｒｏｌ（ＲＲＣ）  Ｐｒｏｔｏｃｏｌ  Ｓｐｅｃｉｆｉｃａｔｉｏｎ”
【発明の概要】
【発明が解決しようとする課題】
【０００７】
上述の議論に基づいて、本開示（ｄｉｓｃｌｏｓｕｒｅ）は、無線通信システムにおけるシステム情報ブロック伝達及び獲得のための装置及び方法を提供する。
【課題を解決するための手段】
【０００８】
本開示の多様な実施形態によれば、無線通信システムにおける端末の装置は、送受信機；及び少なくとも１つのプロセッサを含み、前記送受信機は、基地局からシステム情報ブロック１制御リソースセット（ｓｙｓｔｅｍ  ｉｎｆｏｒｍａｔｉｏｎ  ｂｌｏｃｋ  １  ｃｏｎｔｒｏｌ  ｒｅｓｏｕｒｃｅ  ｓｅｔ、ＳＩＢ１  ＣＯＲＥＳＥＴ）構成を含むマスター情報ブロック（ｍａｓｔｅｒ  ｉｎｆｏｒｍａｔｉｏｎ  ｂｌｏｃｋ、ＭＩＢ）を運搬する物理放送チャネル（ｐｈｙｓｉｃａｌ  ｂｒｏａｄｃａｓｔｉｎｇ  ｃｈａｎｎｅｌ、ＰＢＣＨ）を含む同期信号（ｓｙｎｃｈｒｏｎｉｚａｔｉｏｎ  ｓｉｇｎａｌ、ＳＳ）／ＰＢＣＨブロックを受信するように構成され、前記ＳＩＢ１  ＣＯＲＥＳＥＴ構成は、周波数位置、前記ＳＳ／ＰＢＣＨブロックと関連付けられたＳＩＢ１  ＣＯＲＥＳＥＴを含むリソースブロック（ｒｅｓｏｕｒｃｅ  ｂｌｏｃｋ、ＲＢ）の個数及び前記ＳＩＢ１  ＣＯＲＥＳＥＴの時間領域リソースの情報を含み、前記少なくとも１つのプロセッサは、前記周波数位置を含む初期活性帯域幅部分（ｂａｎｄｗｉｄｔｈ  ｐａｒｔ、ＢＷＰ）、前記ＳＩＢ１  ＣＯＲＥＳＥＴを含む前記ＲＢの個数及び残りの最小システム情報（ｒｅｍａｉｎｉｎｇ  ｍｉｎｉｍｕｍ  ｓｙｓｔｅｍ  ｉｎｆｏｒｍａｔｉｏｎ、ＲＭＳＩ）のヌメロロジー（ｎｕｍｅｒｏｌｏｇｙ）を決定するように構成され、前記送受信機は、前記基地局から前記ＳＩＢ１  ＣＯＲＥＳＥＴ内の少なくとも１つの時間−周波数リソースにマッピングされた物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を受信するようにさらに構成され、前記ＰＤＣＣＨはＳＩＢ１を含む物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）のスケジューリング情報を含む。
【０００９】
本開示の多様な実施形態によれば、無線通信システムにおける基地局の装置は、送受信機；及び少なくとも１つのプロセッサを含み、前記少なくとも１つのプロセッサは、周波数位置を含む初期活性帯域幅部分（ｂａｎｄｗｉｄｔｈ  ｐａｒｔ、ＢＷＰ）、システム情報ブロック１制御リソースセット（ｓｙｓｔｅｍ  ｉｎｆｏｒｍａｔｉｏｎ  ｂｌｏｃｋ  １  ｃｏｎｔｒｏｌ  ｒｅｓｏｕｒｃｅ  ｓｅｔ、ＳＩＢ１  ＣＯＲＥＳＥＴ）を含むリソースブロック（ｒｅｓｏｕｒｃｅ  ｂｌｏｃｋ、ＲＢ）の個数及び残りの最小システム情報（ｒｅｍａｉｎｉｎｇ  ｍｉｎｉｍｕｍ  ｓｙｓｔｅｍ  ｉｎｆｏｒｍａｔｉｏｎ、ＲＭＳＩ）のヌメロロジー（ｎｕｍｅｒｏｌｏｇｙ）を決定するように構成され、前記送受信機は、端末に前記ＳＩＢ１  ＣＯＲＥＳＥＴ構成を含むマスター情報ブロック（ｍａｓｔｅｒ  ｉｎｆｏｒｍａｔｉｏｎ  ｂｌｏｃｋ、ＭＩＢ）を運搬する物理放送チャネル（ｐｈｙｓｉｃａｌ  ｂｒｏａｄｃａｓｔｉｎｇ  ｃｈａｎｎｅｌ、ＰＢＣＨ）を含む同期信号／物理放送チャネル（ｓｙｎｃｈｒｏｎｉｚａｔｉｏｎ  ｓｉｇｎａｌ／ｐｈｙｓｉｃａｌ  ｂｒｏａｄｃａｓｔｉｎｇ  ｃｈａｎｎｅｌ、ＳＳ／ＰＢＣＨ）ブロックを送信し、前記ＳＩＢ１  ＣＯＲＥＳＥＴ内の少なくとも１つの時間−周波数リソースにマッピングされた物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を送信するように構成され、前記ＰＤＣＣＨはＳＩＢ１を含む物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）のスケジューリング情報を含む。
【００１０】
本開示の多様な実施形態によれば、無線通信システムにおける端末の動作方法は、基地局からシステム情報ブロック１制御リソースセット（ｓｙｓｔｅｍ  ｉｎｆｏｒｍａｔｉｏｎ  ｂｌｏｃｋ  １  ｃｏｎｔｒｏｌ  ｒｅｓｏｕｒｃｅ  ｓｅｔ、ＳＩＢ１  ＣＯＲＥＳＥＴ）構成を含むマスター情報ブロック（ｍａｓｔｅｒ  ｉｎｆｏｒｍａｔｉｏｎ  ｂｌｏｃｋ、ＭＩＢ）を運搬する物理放送チャネル（ｐｈｙｓｉｃａｌ  ｂｒｏａｄｃａｓｔｉｎｇ  ｃｈａｎｎｅｌ、ＰＢＣＨ）を含む同期信号（ｓｙｎｃｈｒｏｎｉｚａｔｉｏｎ  ｓｉｇｎａｌ、ＳＳ）／ＰＢＣＨブロックを受信する過程を含み、前記ＳＩＢ１  ＣＯＲＥＳＥＴ構成は、周波数位置、前記ＳＳ／ＰＢＣＨブロックと関連付けられたＳＩＢ１  ＣＯＲＥＳＥＴを含むリソースブロック（ｒｅｓｏｕｒｃｅ  ｂｌｏｃｋ、ＲＢ）の個数及び前記ＳＩＢ１  ＣＯＲＥＳＥＴの時間領域リソースの情報を含み、前記周波数位置を含む初期活性帯域幅部分（ｂａｎｄｗｉｄｔｈ  ｐａｒｔ、ＢＷＰ）、前記ＳＩＢ１  ＣＯＲＥＳＥＴを含む前記ＲＢの個数及び残りの最小システム情報（ｒｅｍａｉｎｉｎｇ  ｍｉｎｉｍｕｍ  ｓｙｓｔｅｍ  ｉｎｆｏｒｍａｔｉｏｎ、ＲＭＳＩ）のヌメロロジー（ｎｕｍｅｒｏｌｏｇｙ）を決定する過程と、前記基地局から前記ＳＩＢ１  ＣＯＲＥＳＥＴ内の少なくとも１つの時間−周波数リソースにマッピングされた物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を受信する過程と、をさらに含み、前記ＰＤＣＣＨはＳＩＢ１を含む物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）のスケジューリング情報を含む。
【発明の効果】
【００１１】
本開示の多様な実施形態による装置及び方法は、無線通信システムにおける効率的なシステム情報ブロック伝達及び獲得のための装置及び方法を提供する。
【００１２】
本開示で得られる効果は上述した効果に制限されず、言及していない別の効果は以下の記載から本開示の属する技術分野における通常の知識を有する者に明確に理解され得る。
【図面の簡単な説明】
【００１３】
【図１】本開示の多様な実施形態による無線通信システムを示す図である。
【図２】本開示の多様な実施形態による無線通信システムにおける基地局の構成を示す図である。
【図３】本開示の多様な実施形態による無線通信システムにおける端末の構成を示す図である。
【図４Ａ】本開示の多様な実施形態による無線通信システムにおける送信経路回路のブロック図を示す図である。
【図４Ｂ】本開示の多様な実施形態による無線通信システムにおける受信経路回路のブロック図を示す図である。
【図５】本開示の多様な実施形態による無線通信システムにおけるネットワークスライシング（ｎｅｔｗｏｒｋ  ｓｌｉｃｉｎｇ）を示す図である。
【図６】本開示の多様な実施形態による無線通信システムにおけるデジタルチェーンの例示的な数を示す図である。
【図７】本開示の多様な実施形態による無線通信システムにおけるシステム情報ブロック送信を示す図である。
【図８】本開示の多様な実施形態による無線通信システムにおけるＳＳ（ｓｙｎｃｈｒｏｎｉｚａｔｉｏｎ  ｓｉｇｎａｌ）ブロック送信を示す図である。
【図９】本開示の多様な実施形態による無線通信システムにおける残りの最小システム情報（ｒｅｍａｉｎｉｎｇ  ｍｉｎｉｍｕｍ  ｓｙｓｔｅｍ  ｉｎｆｏｒｍａｔｉｏｎ、ＲＭＳＩ）の送信を示す図である。
【図１０】本開示の多様な実施形態による無線通信システムにおけるリソースブロックグループ（ｒｅｓｏｕｒｃｅ  ｂｌｏｃｋ  ｇｒｏｕｐ、ＲＢＧ）の送信を示す図である。
【図１１】本開示の多様な実施形態による無線通信システムにおける連続及び分散マッピングでの制御リソースセット（ｃｏｎｔｒｏｌ  ｒｅｓｏｕｒｃｅ  ｓｅｔ、ＣＯＲＥＳＥＴ）の伝送を示す図である。
【図１２】本開示の多様な実施形態による無線通信システムにおける端末によって行われ得るシステム情報伝達のための方法を示すフローチャートである。
【発明を実施するための形態】
【００１４】
本開示で用いられる用語らは単に特定の実施形態を説明するために用いられたものであって、他の実施形態の範囲を限定することを意図しない場合がある。単数の表現は文脈で明らかに異なることを意味しない限り、複数の表現をも含むことができる。技術的又は科学的な用語を含めてここで用いられる用語らは本開示に記載された技術分野における通常の知識を有する者によって一般に理解されるものと同じ意味を有し得る。本開示に用いられた用語のうち、通常の辞書に定義された用語は、関連技術の文脈で有する意味と同じ又は類似の意味として解釈されることができ、本開示で明白に定義されない限り、理想的又は過度に形式的な意味として解釈されない。場合によっては、本開示で定義された用語であっても本開示の実施形態を排除するように解釈されることはできない。
【００１５】
以下、説明される本開示の多様な実施形態では、ハードウェア的なアプローチを例示として説明する。しかし、本開示の多様な実施形態では、ハードウェアとソフトウェアをすべて使用する技術を含むので、本開示の多様な実施形態がソフトウェアに基づくアプローチを排除することはない。
【００１６】
以下の説明で用いられる信号を指し示す用語、制御情報を指し示す用語、ネットワークエンティティ（ｎｅｔｗｏｒｋ  ｅｎｔｉｔｙ）を指し示す用語、装置の構成要素を指し示す用語などは説明の便宜のために例示されたものである。したがって、本開示は後述の用語に限定されず、同等な技術的意味を有する他の用語が用いられることができる。
【００１７】
また、本開示は、一部の通信規格（例：３ＧＰＰ（３ｒｄ  Ｇｅｎｅｒａｔｉｏｎ  Ｐａｒｔｎｅｒｓｈｉｐ））で用いられる用語を用いて多様な実施形態を説明するが、これは説明のための例示にすぎないものである。本開示の多様な実施形態は、他の通信システムにも、容易に変形されて適用され得る。
【００１８】
以下、論議される図１乃至１２、及び本特許明細書で本発明の原理を説明するために用いられる多様な実施形態は単なる説明のためのものであって、本開示の範囲を制限するものとして解釈されてはならない。本開示の属する分野の通常の技術を有する者は本開示の原理が任意の適切に配列されたシステム又は装置で具現され得ることを理解できるであろう。
【００１９】
次の文献は、本開示で参照文献として含まれる：３ＧＰＰ  ＴＳ  ３６．２１１  ｖ１３．０．０、“Ｅ−ＵＴＲＡ、Ｐｈｙｓｉｃａｌ  ｃｈａｎｎｅｌｓ  ａｎｄ  ｍｏｄｕｌａｔｉｏｎ”；３ＧＰＰ  ＴＳ  ３６．２１２  ｖ１３．０．０、“Ｅ−ＵＴＲＡ、Ｍｕｌｔｉｐｌｅｘｉｎｇ  ａｎｄ  Ｃｈａｎｎｅｌ  ｃｏｄｉｎｇ”；３ＧＰＰ  ＴＳ  ３６．２１３  ｖ１３．０．０、“Ｅ−ＵＴＲＡ、Ｐｈｙｓｉｃａｌ  Ｌａｙｅｒ  Ｐｒｏｃｅｄｕｒｅｓ”；ａｎｄ  ３ＧＰＰ  ＴＳ  ３６．３３１  ｖ１３．０．０、“Ｅ−ＵＴＲＡ、Ｒａｄｉｏ  Ｒｅｓｏｕｒｃｅ  Ｃｏｎｔｒｏｌ（ＲＲＣ）  Ｐｒｏｔｏｃｏｌ  Ｓｐｅｃｉｆｉｃａｔｉｏｎ”．
【００２０】
以下の図１乃至４Ｂは、本開示の多様な実施形態による無線通信システムにおける直交周波数分割多重（ｏｒｔｈｏｇｏｎａｌ  ｆｒｅｑｕｅｎｃｙ  ｄｉｖｉｓｉｏｎａｌ  ｍｕｌｔｉｐｌｅｘｉｎｇ、ＯＦＤＭ）又は直交周波数分割多重接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ、ＯＦＤＭＡ）通信技術の使用で具現される多様な実施形態を示す。図１乃至図３の説明は異なった実施形態が具現され得る方式に対する物理的又は構造的制限を意味しない。本開示の異なった実施形態は任意の適切に配列された通信システムで具現され得る。
【００２１】
図１は、本開示の多様な実施形態による無線通信システムを示す。図１に示す無線ネットワーク１００の実施形態は単なる説明のためのものである。無線ネットワーク１００の他の実施形態が本開示の範囲から逸脱することなく用いられることができる。
【００２２】
図１に示すように、無線ネットワーク１００はｅＮＢ１０１、ｅＮＢ１０２及びｅＮＢ１０３を含む。ｅＮＢ１０１はｅＮＢ１０２及びｅＮＢ１０３と通信する。ｅＮＢ１０１はインターネット、独自インターネットプロトコル（ｉｎｔｅｒｎｅｔ  ｐｒｏｔｏｃｏｌ、ＩＰ）ネットワーク、又は他のデータネットワークといった少なくとも１つのネットワーク１３０とも通信する。
【００２３】
ｅＮＢ１０２は、ｅＮＢ１０２のカバレッジ領域１２０内の第１複数のＵＥにネットワーク１３０への無線広帯域アクセスを提供する。第１複数のＵＥは中小企業（ｓｍａｌｌ  ｂｕｓｉｎｅｓｓ、ＳＢ）に位置し得るＵＥ１１１；企業（ｅｎｔｅｒｐｒｉｓｅ、Ｅ）に位置し得るＵＥ１１２；ＷｉＦｉホットスポット（ｈｏｔ  ｓｐｏｔ、ＨＳ）に位置し得るＵＥ１１３；第１居住地（ｒｅｓｉｄｅｎｃｅ、Ｒ）に位置し得るＵＥ１１４；第２居住地（Ｒ）に位置し得るＵＥ１１５；セルフォン、無線ラップトップ、無線ＰＤＡなどといった移動装置（ｍｏｂｉｌｅ  ｄｅｖｉｃｅ、Ｍ）であり得るＵＥ１１６を含む。ｅＮＢ１０３は、ｅＮＢ１０３のカバレッジ領域１２５内の第２複数のＵＥにネットワーク１３０への無線広帯域アクセスを提供する。第２複数のＵＥはＵＥ１１５及びＵＥ１１６を含む。一部の実施形態では、１つ以上のｅＮＢ１０１−１０３は５Ｇ、ＬＴＥ、ＬＴＥ−Ａ、ＷｉＭＡＸ、ＷｉＦｉ、又は他の無線通信技術を用いて互いに、及びＵＥら１１１−１１６と通信できる。
【００２４】
ネットワーク類型によっては、「基地局（ｂａｓｅ  ｓｔａｔｉｏｎ）」又は「ＢＳ」という用語は送信地点（ｔｒａｎｓｍｉｔ  ｐｏｉｎｔ、ＴＰ）、送受信地点（ｔｒａｎｓｍｉｔ−ｒｅｃｅｉｖｅ  ｐｏｉｎｔ、ＴＲＰ）、進化した基地局（ｅｎｈａｎｃｅｄ  ｂａｓｅ  ｓｔａｔｉｏｎ、ｅＮｏｄｅＢ  ｏｒ  ｅＮＢ）、５Ｇ基地局（ｇＮＢ）、マクロセル、フェムトセル、ＷｉＦｉアクセスポイント（ａｃｃｅｓｓ  ｐｏｉｎｔ、ＡＰ）又はその他の無線装置のようにネットワークに無線アクセスを提供するように構成された全ての構成要素を指し示すことができる。基地局は１つ以上の無線通信プロトコル、例えば、５Ｇ  ３ＧＰＰ新無線インタフェース／アクセス（ｎｅｗ  ｒａｄｉｏ、ＮＲ）、ＬＴＥ（Ｌｏｎｇ  Ｔｅｒｍ  Ｅｖｏｌｕｔｉｏｎ）、ＬＴＥ−Ａｄｖａｎｃｅｄ（ＬＴＥ−Ａ）、高速パケットアクセス（ｈｉｇｈ  ｓｐｅｅｄ  ｐａｃｋｅｔ  ａｃｃｅｓｓ、ＨＳＰＡ）、Ｗｉ−Ｆｉ  ８０２．１１ａ／ｂ／ｇ／ｎ／ａｃなどによって無線アクセスを提供できる。便宜上、用語「ＢＳ」及び「ＴＲＰ」は本開示で遠隔端末に無線アクセスを提供するネットワークインフラ構成要素を示すために交互に用いられる。また、ネットワーク類型によっては、「ユーザ装置（ｕｓｅｒ  ｅｑｕｉｐｍｅｎｔ）」又は「ＵＥ」は「移動局」、「加入者局」、「遠隔端末」、「無線端末」、「受信ポイント」などといった任意の構成要素を指し示すことができる。便宜上、用語「ユーザ装置」及び「ＵＥ」は本特許文献で、ＵＥが移動装置（例えば、携帯電話又はスマートフォン）であるか、又は一般に固定式装置（例：デスクトップコンピュータ又は自動販売機）と見なされるか否かにかかわらず、ＢＳに無線でアクセスする遠隔無線装置を指し示すために用いられる。
【００２５】
点線はカバレッジ領域１２０、１２５の概略的な範囲を示し、単に例示及び説明の目的として略円形で示される。カバレッジ領域１２０及び１２５のようなｅＮＢと関連付けられたカバレッジ領域はｅＮＢの構成、自然及び人工の妨害物と関連付けられた無線環境の変化によって不規則な形状を含む他の形状を持つことができることを明確に理解すべきである。
【００２６】
以下、より詳細に説明されるように、ＵＥら１１１−１１６の内の１つ以上は進歩した無線通信システムにおけるシステム情報伝達のための回路、プログラム又はそれらの組み合わせを含む。特定の実施形態らで、１つ以上のｅＮＢ１０１−１０３は進歩した無線通信システムにおける効率的なシステム情報伝達のために回路、プログラム又はそれらの組み合わせを含む。
【００２７】
図１は、無線ネットワークの一例を示すが、多様な変更が図１に対してなされてもよい。例えば、無線ネットワークは任意の数のｅＮＢ及び任意の数のＵＥを任意の適切な配置で含むことができる。また、ｅＮＢ１０１は任意の数のＵＥと直接通信でき、ＵＥらにネットワーク１３０への無線広帯域アクセスを提供できる。同様に、各々のｅＮＢ１０２−１０３はネットワーク１３０と直接通信できＵＥらにネットワーク１３０への直接的な無線広帯域アクセスを提供できる。また、ｅＮＢ１０１、１０２及び／又は１０３は外部電話ネットワーク又は他の類型のデータネットワークといった、他の又は追加の外部ネットワークに対するアクセスを提供できる。
【００２８】
図２は、本開示の多様な実施形態による無線通信システムにおけるｅＮＢ１０２の構成を示す。図２に示すｅＮＢ１０２の実施形態は単なる説明のためのものであり、図１のｅＮＢら１０１及び１０３は同じまたは類似の構成を有し得る。しかし、ｅＮＢは多様な構成を有し、図２はｅＮＢの任意の特定の具現に対する本開示の範囲を制限しない。
【００２９】
図２に示すように、ｅＮＢ１０２は複数のアンテナ２０５ａ−２０５ｎ、複数のＲＦ送受信機２１０ａ−２１０ｎ、送信（ｔｒａｎｓｍｉｔ、ＴＸ）処理回路２１５及び受信（ｒｅｃｅｉｖｅ、ＲＸ）処理回路２２０を含む。ｅＮＢ１０２は制御機／プロセッサ２２５、メモリ２３０及びバックホール又はネットワークインタフェース２３５も含む。
【００３０】
ＲＦ送受信機ら２１０ａ−２１０ｎはアンテナら２０５ａ−２０５ｎからネットワーク１００内のＵＥによって送信された信号のような入力ＲＦ信号を受信する。ＲＦ送受信機ら２１０ａ−２１０ｎは入力ＲＦ信号をダウンコンバートしてＩＦ又は基底帯域信号を生成する。ＩＦ又は基底帯域信号は基底帯域又はＩＦ信号をフィルタリング、デコード及び／又はデジタル化することによって処理された基底帯域信号を生成するＲＸ処理回路２２０に送られる。ＲＸ処理回路２２０は追加的な処理のために処理された基底帯域信号を制御機／プロセッサ２２５に送信する。
【００３１】
ＴＸ処理回路２１５は、制御機／プロセッサ２２５からアナログ又はデジタルデータ（音声データ、ウェブデータ、電子メール又は対話型ビデオゲームデータなど）を受信する。ＴＸ処理回路２１５は、処理された基底帯域又はＩＦ信号を生成するために出力基底帯域データをエンコード、多重化及び／又はデジタル化する。ＲＦ送受信機ら２１０ａ−２１０ｎは、ＴＸ処理回路２１５から出力処理された基底帯域又はＩＦ信号を受信してアンテナら２０５ａ−２０５ｎを介して送信されるＲＦ信号らに基底帯域又はＩＦ信号をアップコンバートする。
【００３２】
制御機／プロセッサ２２５は、ｅＮＢ１０２の全体動作を制御する１つ以上のプロセッサ又は他の処理装置を含むことができる。例えば、制御機／プロセッサ２２５は、周知の原理によってＲＦ送受信機ら２１０ａ−２１０ｎ、ＲＸ処理回路２２０及びＴＸ処理回路２１５による順方向チャネル信号の受信及び逆方向チャネル信号の送信を制御できる。制御機／プロセッサ２２５は、より進歩した無線通信機能のような追加機能をサポートできる。例えば、制御機／プロセッサ２２５は、所望の方向に複数のアンテナ２０５ａ−２０５ｎからの出力信号を效果的に操縦するために異なるように重み付けされたビームフォーミング又は指向性ルーティング動作をサポートできる。多様な他の機能の内の任意の機能が制御機／プロセッサ２２５によってｅＮＢ１０２でサポートされ得る。
【００３３】
制御機／プロセッサ２２５は、ＯＳのようなメモリ２３０に常駐するプログラム及び他のプロセスを実行することもできる。制御機／プロセッサ２２５は実行プロセスによって要求されるようにメモリ２３０内外にデータを移動させることができる。
【００３４】
制御機／プロセッサ２２５は、バックホール又はネットワークインタフェース２３５に接続されることもできる。バックホール又はネットワークインタフェース２３５はバックホール接続を介して又はネットワークを介してｅＮＢ１０２が他の装置又はシステムと通信できるようにする。インタフェース２３５は任意の適合した有線又は無線接続（ら）を介した通信をサポートできる。例えば、ｅＮＢ１０２が（５Ｇ、ＬＴＥ又はＬＴＥ−Ａをサポートするものなどの）セルラー通信システムの一部として具現される場合、インタフェース２３５は、ｅＮＢ１０２が有線又は無線バックホールを介して他のｅＮＢと通信するように許可できる。ｅＮＢ１０２がアクセスポイントとして具現される場合、インタフェース２３５は、ｅＮＢ１０２が有線又は無線ローカル領域ネットワークを介して又は有線又は無線接続を介して（インターネットなどの）より大きなネットワークに通信するようにすることができる。インタフェース２３５は、イーサネット(登録商標)又はＲＦ送受信機のような有線又は無線接続を介した通信をサポートする任意の適切な構造を含む。
【００３５】
メモリ２３０は、制御機／プロセッサ２２５に接続される。メモリ２３０の一部はＲＡＭを含むことができ、メモリ２３０の他の部分はフラッシュメモリ又は他のＲＯＭを含むことができる。
【００３６】
図２はｅＮＢ１０２の一例を示すが、多様な変更が図２に対してなされてもよい。例えば、ｅＮＢ１０２は図２に示す任意の個数の各構成要素を含むことができる。特定例として、アクセスポイントは複数のインタフェース２３５を含むことができ、制御機／プロセッサ２２５は異なったネットワークアドレスの間にデータをルーティングするルーティング機能をサポートできる。他の特定例として、ＴＸ処理回路２１５の単一インスタンス及びＲＸ処理回路２２０の単一インスタンスを含むと示しているが、ｅＮＢ１０２はそれぞれ（ＲＦ送受信機ごとに１つずつ）複数のインスタンスを含むことができる。また、図２の多様な構成要素が組み合わせられるか、さらに細分化するか、又は省略されることができ、特定の必要に応じて追加的な構成要素が付加されることもできる。
【００３７】
図３は、本開示の多様な実施形態による無線通信システムにおけるＵＥ１１６の構成を示す。図３に示されたＵＥ１１６の実施形態は単なる説明のためのものであって、図１のＵＥら１１１−１１５は同じまたは類似の構成を有し得る。しかし、ＵＥは多様な構成を有し、図３は本開示の範囲をＵＥの任意の特定の具現に制限しない。
【００３８】
図３に示すように、ＵＥ１１６は、アンテナ３０５、無線周波数（ｒａｄｉｏ  ｆｒｅｑｕｅｎｃｙ、ＲＦ）送受信機３１０、ＴＸ処理回路３１５、マイクロホン３２０及び受信（ＲＸ）処理回路３２５を含む。また、ＵＥ１１６は、スピーカ３３０、プロセッサ３４０、入出力インタフェース（ｉｎｔｅｒｆａｃｅ、ＩＦ）３４５、タッチスクリーン３５０、ディスプレイ３５５及びメモリ３６０を含む。メモリ３６０はオペレーティングシステム（ｏｐｅｒａｔｉｎｇ  ｓｙｓｔｅｍ、ＯＳ）３６１及び１つ以上のアプリケーション３６２を含む。
【００３９】
ＲＦ送受信機３１０は、アンテナ３０５からネットワーク１００の基地局（ｅＮＢ）が送信する受信ＲＦ信号を受信する。ＲＦ送受信機３１０は入力ＲＦ信号をダウンコンバートして中間周波数（ｉｎｔｅｒｍｅｄｉａｔｅ  ｆｒｅｑｕｅｎｃｙ、ＩＦ）又は基底帯域信号を生成する。ＩＦ又は基底帯域信号は基底帯域又はＩＦ信号をフィルタリング、デコード及び／又はデジタル化することによって処理された基底帯域信号を生成するＲＸ処理回路３２５に送信される。ＲＸ処理回路３２５は、処理された基底帯域信号を追加的な処理のために（音声データの場合）スピーカ３３０又は（ウェブブラウジングデータの場合）プロセッサ３４０に送信する。
【００４０】
ＴＸ処理回路３１５は、マイクロホン３２０からアナログ又はデジタル音声データを、又はプロセッサ３４０から（ウェブデータ、電子メール又は対話型ビデオゲームデータなどの）他の出力基底帯域データを受信する。ＴＸ処理回路３１５は、処理された基底帯域又はＩＦ信号を生成するために出力基底帯域データをエンコード、多重化及び／又はデジタル化する。ＲＦ送受信機３１０は、ＴＸ処理回路３１５から出力される処理された基底帯域又はＩＦ信号を受信し、基底帯域又はＩＦ信号をアンテナ３０５を介して送信されるＲＦ信号にアップコンバートする。
【００４１】
プロセッサ３４０は、１つ以上のプロセッサ又は他の処理装置を含むことができ、ＵＥ１１６の全体動作を制御するためにメモリ３６０に記憶されたＯＳ３６１を実行できる。例えば、プロセッサ３４０は、周知の原理によってＲＦ送受信機３１０、ＲＸ処理回路３２５及びＴＸ処理回路３１５による順方向チャネル信号の受信及び逆方向チャネル信号の送信を制御できる。一部の実施形態では、プロセッサ３４０は、少なくとも１つのマイクロプロセッサ又はマイクロコントローラを含む。
【００４２】
また、プロセッサ３４０は、進歩した無線通信システムにおけるシステム情報伝達のためのプロセスなどの、メモリ３６０に常駐する他のプロセス及びプログラムを実行できる。プロセッサ３４０は、実行プロセスによって要求されるようにメモリ３６０内外にデータを移動させることができる。一部の実施形態では、プロセッサ３４０は、ＯＳ３６１に基づいて又はｅＮＢ又はオペレータから受信された信号に応じてアプリケーション３６２を実行するように構成される。また、プロセッサ３４０は、Ｉ／Ｏインタフェース３４５に結合され、ＵＥ１１６にラップトップコンピュータ及びハンドヘルドコンピュータなどの他の装置に接続する能力を提供する。Ｉ／Ｏインタフェース３４５はこれらのアクセサリとプロセッサ３４０の間の通信経路である。
【００４３】
プロセッサ３４０は、また、タッチスクリーン３５０及びディスプレイ３５５に接続される。ＵＥ１１６のオペレータはタッチスクリーン３５０を用いてＵＥ１１６にデータを入力できる。ディスプレイ３５５は、液晶ディスプレイ、発光ダイオードディスプレイ、又はウェブサイトのようにテキスト及び／又は少なくとも制限されたグラフィックをレンダリングできる他のディスプレイであり得る。
【００４４】
メモリ３６０は、プロセッサ３４０に接続される。メモリ３６０の一部はランダムアクセスメモリ（ｒａｎｄｏｍ  ａｃｃｅｓｓ  ｍｅｍｏｒｙ、ＲＡＭ）を含むことができ、メモリ３６０の他の部分はフラッシュメモリ又は他の読み出し専用メモリ（ｒｅａｄ  ｏｎｌｙ  ｍｅｍｏｒｙ、ＲＯＭ）を含むことができる。
【００４５】
図３は、ＵＥ１１６の一例を示すが、多様な変更が図３に対してなされてもよい。例えば、図３の多様な構成要素が結合されたり、さらに細分化したり、省略されることができ、特定の要求に応じて追加的な構成要素が追加され得る。特定例として、プロセッサ３４０は１つ以上の中央処理装置（ｃｅｎｔｒａｌ  ｐｒｏｃｅｓｓｉｎｇ  ｕｎｉｔ、ＣＰＵ）及び１つ以上のグラフィック処理装置（ｇｒａｐｈｉｃ  ｐｒｏｃｅｓｓｉｎｇ  ｕｎｉｔ、ＧＰＵ）などの複数のプロセッサに分割され得る。また、図３は、移動電話又はスマートフォンとして構成されたＵＥ１１６を示すが、ＵＥは他の類型の移動又は固定式装置として動作するように構成され得る。
【００４６】
図４Ａは、本開示の多様な実施形態による無線通信システムにおける送信経路回路のブロック図を示す。例えば、送信経路回路は直交周波数分割多重接続（ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ａｃｃｅｓｓ、ＯＦＤＭＡ）通信のために用いられ得る。図４Ｂは、本開示の多様な実施形態による無線通信システムにおける受信経路回路のブロック図を示す。例えば、受信経路回路は直交周波数分割多重接続（ＯＦＤＭＡ）通信のために用いられ得る。図４Ａ及び図４Ｂで、ダウンリンク通信に対して、送信経路回路は基地局（ｅＮＢ）１０２又は中継局で具現されることができ、受信経路回路はユーザ装置（例えば、図１のＵＥ１１６）で具現され得る。他の実施形態では、アップリンク通信のために、受信経路回路４５０は基地局（例えば、図１のｅＮＢ１０２）又は中継局で具現されることができ、送信経路回路はユーザ装置（例えば、図１のＵＥ１１６）で具現され得る。
【００４７】
送信経路回路４００は、チャネルコーディング及び変調ブロック４０５、直列−並列（ｓｅｒｉａｌ−ｔｏ−ｐａｒａｌｌｅｌ、Ｓ−ｔｏ−Ｐ）ブロック４１０、サイズＮ逆高速フーリエ変換（ｉｎｖｅｒｓｅ  ｆａｓｔ  ｆｏｕｒｉｅｒ  ｔｒａｎｓｆｏｒｍ、ＩＦＦＴ）ブロック４１５、並列対直列（ｐａｒａｌｌｅｌ−ｔｏ−ｓｅｒｉａｌ、Ｐ−ｔｏ−Ｓ）ブロック４２０、サイクリックプレフィックス（ｃｙｃｌｉｃ  ｐｒｅｆｉｘ）追加ブロック４２５及びアップコンバータ（ｕｐ−ｃｏｎｖｅｒｔｅｒ、ＵＣ）４３０を含む。受信経路回路４５０は、ダウンコンバータ（ｄｏｗｎ−ｃｏｎｖｅｒｔｅｒ、ＤＣ）４５０、サイクリックプレフィックス除去ブロック４６０、直列対並列（Ｓ−ｔｏ−Ｐ）ブロック４６５、サイズＮ高速フーリエ変換（ＦＦＴ）ブロック４７０、並列対直列（Ｐ−ｔｏ−Ｓ）ブロック４７５、チャネルデコーディング及び復調ブロック４８０を含む。
【００４８】
図４Ａ４００及び図４Ｂ４５０の構成要素の内の少なくとも一部はソフトウェアで具現され得るが、一方で、他の構成要素は構成可能なハードウェアによって又はソフトウェア及び構成可能なハードウェアの混合によって具現され得る。特に、本開示文書で説明されたＦＦＴブロック及びＩＦＦＴブロックは構成可能なソフトウェアアルゴリズムとして具現されることができ、ここで、サイズＮの値は具現によって修正され得る。
【００４９】
また、本開示は高速フーリエ変換及び逆高速フーリエ変換を具現する実施形態に関するものであるが、これは単なる説明のためのものであって本開示の範囲を制限するものとして解釈されないこともできる。本開示の他の実施形態では、高速フーリエ変換関数及び逆高速フーリエ変換関数は離散フーリエ変換（ｄｉｓｃｒｅｔｅ  Ｆｏｕｒｉｅｒ  ｔｒａｎｓｆｏｒｍ、ＤＦＴ）関数及び逆離散フーリエ変換（ｉｎｖｅｒｓｅ  ｄｉｓｃｒｅｔｅ  Ｆｏｕｒｉｅｒ  ｔｒａｎｓｆｏｒｍ、ＩＤＦＴ）関数でそれぞれ容易に代替され得ることがわかる。ＤＦＴ及びＩＤＦＴ関数の場合、Ｎ変数の値は任意の整数（すなわち、１、４、３、４等）でよいし、ＦＦＴ及びＩＦＦＴ関数の場合Ｎ変数の値２の冪である整数（すなわち、１、２、４、８、１６等）でもよい。
【００５０】
送信経路回路４００で、チャネルコーディング及び変調ブロック４０５は入力ビットを受信し、周波数領域変調シンボルのシーケンスを生成するために入力ビットをコーディング（例えば、ＬＤＰＣコーディング）及び変調（例えば、四位相偏移変調（ｑｕａｄｒａｔｕｒｅ  ｐｈａｓｅ  ｓｈｉｆｔ  ｋｅｙｉｎｇ、ＱＰＳＫ）又は直角位相振幅変調（ｑｕａｄｒａｔｕｒｅ  ａｍｐｌｉｔｕｄｅ  ｍｏｄｕｌａｔｉｏｎ、ＱＡＭ））する。直列−並列ブロック４１０は、直列変調されたシンボルを並列データに変換（すなわち、逆多重化）してＮ個の並列シンボルストリームを生成するが、ここで、ＮはＢＳ１０２及びＵＥ１１６で用いられるＩＦＦＴ／ＦＦＴサイズである。サイズＮＩＦＦＴブロック４１５は、Ｎ個の並列シンボルストリームに対してＩＦＦＴ演算を遂行して時間領域出力信号を生成する。並列対直列ブロック４２０は、直列時間領域信号を生成するためにサイズＮＩＦＦＴブロック４１５からの並列時間領域出力シンボルを変換（すなわち、多重化）する。その次に、サイクリックプレフィックス追加ブロック４２５は、時間領域信号にサイクリックプレフィックス記号を挿入する。最後に、アップコンバータ４３０は、サイクリックプレフィックス追加ブロック４２５の出力を無線チャネルを介した送信のためにＲＦ周波数に変調（すなわち、アップコンバート）する。信号はＲＦ周波数に変換する前に基底帯域でフィルタリングされることもできる。
【００５１】
送信されたＲＦ信号は無線チャネルを経由してＵＥ１１６に到達し、ｅＮＢ１０２でのものとは逆の動作が行われる。ダウンコンバータ４５５は、受信された信号を基底帯域周波数にダウンコンバートし、サイクリックプレフィックス除去ブロック４６０は、サイクリックプレフィックスを除去して直列時間領域基底帯域信号を生成する。直列対並列ブロック４６５は、時間領域基底帯域信号を並列時間領域信号に変換する。次に、サイズＮＦＦＴブロック４７０は、ＦＦＴアルゴリズムを遂行してＮ個の並列周波数領域信号を生成する。並列対直列ブロック４７５は、並列周波数領域信号を一連の変調されたデータシンボルに変換する。チャネルデコーディング及び復調ブロック４８０は、元の入力データストリームを復元するために変調されたシンボルを復調及びデコードする。
【００５２】
ｅＮＢら１０１−１０３の各々はダウンリンクを介してＵＥら１１１−１１６に送信する場合と類似した送信経路を具現でき、ＵＥら１１１−１１６からアップリンクで受信する場合と類似した受信経路を具現できる。同様に、ＵＥら１１１−１１６の各々はアップリンクでｅＮＢら１０１−１０３に送信するためのアーキテクチャに対応する送信経路を具現でき、ｅＮＢら１０１−１０３からダウンリンクで受信するためのアーキテクチャに対応する受信経路を具現できる。
【００５３】
５Ｇ通信システムの使用例が確認され説明された。このような使用例は大きく３つのグループに分類できる。一例として、モバイルブロードバンドの高度化（ｅｎｈａｎｃｅｄ  ｍｏｂｉｌｅ  ｂｒｏａｄｂａｎｄ、ｅＭＢＢ）はより緩やかな待機時間及び信頼性要求事項で高いｂｉｔｓ／ｓｅｃ要求事項と関連がある。他の例で、極度の信頼性及び低い待機時間（ｕｌｔｒａ  ｒｅｌｉａｂｌｅ  ａｎｄ  ｌｏｗ  ｌａｔｅｎｃｙ、ＵＲＬＬ）はより緩やかなｂｉｔｓ／ｓｅｃ要求事項で決定される。さらに他の例で、大規模マシンタイプ通信（ｍａｓｓｉｖｅ  ｍａｃｈｉｎｅ  ｔｙｐｅ  ｃｏｍｍｕｎｉｃａｔｉｏｎ、ｍＭＴＣ）は複数の装置がｋｍ２あたり１０万〜１００万に達することができると判断されるが、信頼性／処理量／待機時間要件はより緩やかな場合がある。また、該シナリオはバッテリ消費をなるべく最小化できるという点から電力効率要求事項を含むこともできる。
【００５４】
図５は、本開示の多様な実施形態による無線通信システムにおけるネットワークスライシング（ｎｅｔｗｏｒｋ  ｓｌｉｃｉｎｇ）５００を示す。図５に示すネットワークスライシング５００の実施形態は単なる例示のためのものである。図５に示す１つ以上の構成要素は注目された機能を行うように構成された特殊回路で具現され得るか、１つ以上の構成要素は言及された機能を行うための命令を実行する１つ以上のプロセッサによって具現され得る。他の実施形態は本開示の範囲から逸脱することなく用いられる。
【００５５】
図５に示すように、ネットワークスライシング５００はオペレータネットワーク５１０、複数の無線アクセスネットワーク（ｒａｄｉｏ  ａｃｃｅｓｓ  ｎｅｔｗｏｒｋ、ＲＡＮ）５２０、複数のｅＮＢ５３０ａ、５３０ｂ、複数の小型セル基地局５３５ａ、５３５ｂ、ＵＲＬＬスライス５４０ａ、自動車５４５ｂ、トラック５４５ｃ、スマートメガネ５４５ｄ、電源５５５ａ、温度５５５ｂ、ｍＭＴＣスライス５５０ａ、ｅＭＢＢスライス５６０ａ、スマートフォン（例：携帯電話）５６５ａ、ラップトップ５６５ｂ及びタブレットＰＣ５６５ｃ（例：タブレットＰＣ）を含む。
【００５６】
オペレータネットワーク５１０は、ネットワーク装置と関連付けられた複数の無線アクセスネットワーク（ＲＡＮ）５２０、例えば、ｅＮＢ５３０ａ及び５３０ｂ、小型セル基地局ら（フェムト／ピコｅＮＢ又はＷｉ−Ｆｉアクセスポイント）５３５ａ及び５３５ｂを含む。オペレータネットワーク５１０は、スライス概念に基づく多様なサービスをサポートできる。一例で、４つのスライス５４０ａ、５５０ａ、５５０ｂ及び５６０ａがネットワークによってサポートされる。ＵＲＬＬサービスを要求するＵＥをサービスするＵＲＬＬスライス５４０ａは、例えば、車両５４５ｂ、トラック５４５ｃ、スマートウォッチ５４５ａ、スマートメガネ５４５ｄなどである。ｍＭＴＣサービスを必要とするＵＥをサービスする２つのｍＭＴＣスライスは、例えば、パワーメータ及び温度制御５５０ａ及び５５０ｂであり、ｅＭＢＢサービスを必要とする１つのｅＭＢＢスライスは、例えば、セルフォン５６５ａ、ラップトップ５６５ｂ、タブレット５６５ｃである。
【００５７】
すなわち、ネットワークスライシングは、ネットワークレベルで多様なＱｏＳ（ｑｕａｌｉｔｙ  ｏｆ  ｓｅｒｖｉｃｅｓ）を処理する体系である。これらの多様なＱｏＳを效率的にサポートするためにはスライス特定ＰＨＹ最適化が必要な場合もある。装置５４５ａ／ｂ／ｃ／ｄ、５５５ａ／ｂはＵＥ５６５ａ／ｂ／ｃの異なった類型の例である。図５に示す異なった類型のＵＥは必ずしも特定の類型のスライスと関連付けられるものではない。例えば、セルフォン５６５ａ、ラップトップ５６５ｂ及びタブレット５６５ｃはｅＭＢＢスライス５６０ａと関連付けられるが、これは例示のためのものであって、これらの装置は任意の類型のスライスと関連付けられることができる。
【００５８】
１つの装置は２つ以上のスライスで構成される。一実施形態では、ＵＥ、例えば、５６５ａ／ｂ／ｃは２つのスライス、ＵＲＬＬスライス５４０ａ及びｅＭＢＢスライス５６０ａと関連付けられる。これはグラフィック情報がｅＭＢＢスライス５６０ａを介して送信されユーザインタラクションに関連する情報がＵＲＬＬスライス５４０ａを介して交換されるオンラインゲームアプリケーションをサポートするために有用であり得る。
【００５９】
現在のＬＴＥ標準で、スライスレベルＰＨＹは利用可能ではなく、大部分のＰＨＹ機能はスライスに依存することなく（ｓｌｉｃｅ−ａｇｎｏｓｔｉｃ）利用される。ＵＥは一般にＰＨＹパラメータの単一セットで構成されることによって、ネットワークが（１）動的に変化するＱｏＳに速やかに適応し；（２）多様なＱｏＳを同時にサポートすることを防止する。
【００６０】
「スライス（ｓｌｉｃｅ）」はヌメロロジー（ｎｕｍｅｒｏｌｏｇｙ）、（ＭＡＣ（ｍｅｄｉｕｍ  ａｃｃｅｓｓ  ｃｏｎｔｒｏｌ）／ＲＲＣ（ｒａｄｉｏ  ｒｅｓｏｕｒｃｅ  ｃｏｎｔｒｏｌ）を含む）上位層及び共有されたＵＬ（ｕｐｌｉｎｋ）／ＤＬ（ｄｏｗｎｌｉｎｋ）時間−周波数リソースのような共通機能と関連付けられた論理的エンティティを指し示すために便宜上導入された用語である。「スライス」の別の名前としては、仮想セル（ｖｉｒｔｕａｌ  ｃｅｌｌｓ）、ハイパーセル（ｈｙｐｅｒ  ｃｅｌｌｓ）、セル（ｃｅｌｌｓ）などがある。
【００６１】
ｍｍＷａｖｅ帯域の場合、指定されたフォームファクタ（ｆｏｒｍ  ｆａｃｔｏｒ）に対してアンテナ要素の数を大きくすることができる。しかし、図６に示すように、ハードウェア的制約（例えば、ｍｍＷａｖｅ周波数で多数のＡＤＣ（ａｎａｌｏｇ−ｔｏ−ｄｉｇｉｔａｌ  ｃｏｎｖｅｒｔｅｒ）／ＤＡＣ（ｄｉｇｉｔａｌ−ｔｏ−ａｎａｌｏｇ  ｃｏｎｖｅｒｔｅｒ）を設置する可能性）によりデジタルチェーンの数を制限しなければならない。この場合、１つのデジタルチェーンはアナログ位相シフタ（ｐｈａｓｅ  ｓｈｉｆｔｅｒ）のバンク（ｂａｎｋ）によって制御できる複数のアンテナ素子にマッピングされる。１つのデジタルチェーンはアナログビームフォーミングを介して狭いアナログビームを生成する１つのサブアレイ（ｓｕｂ−ａｒｒａｙ）に対応できる。このアナログビームはシンボル又はサブフレームで位相シフタバンクを変更することによってより広い範囲の角度でスウィープ（ｓｗｅｅｐ）するよう構成できる。
【００６２】
図６は、本開示の多様な実施形態による無線通信システムにおけるデジタルチェーン６００の例示的な数を示す。図６に示すデジタルチェーン６００の数の実施形態は単なる例示のためのものである。図６に示す１つ以上の構成要素は言及された機能を行うように構成された特殊回路、又は言及された機能を行うための命令を実行する１つ以上のプロセッサによって具現され得る１つ以上の構成要素で具現され得る。他の実施形態は本開示の範囲から逸脱することなく用いられる。
【００６３】
１つのｇＮＢは１つのセルの全体領域をカバーするために１つ又は複数の送信ビームを利用できる。ｇＮＢは適切な利得及び位相設定をアンテナアレイに適用して送信ビームを形成できる。送信利得、すなわち送信ビームによって提供される送信信号の電力の増幅は典型的にビームによってカバーされる広さ又は面積に反比例する。より低い搬送波周波数で、より良好な電波損失はｇＮＢが単一送信ビームでカバレッジを提供することを可能にすることができる。すなわち、単一送信ビームの使用によってカバレッジ領域内の全てのＵＥ位置で適切な受信信号品質を保証できる。換言すれば、より低い送信信号搬送波周波数で、前記領域をカバーするために十分な幅を有する送信ビームによって提供される送信電力増幅はカバレッジ領域内の全てのＵＥ位置で適切な受信信号品質を保証するために電波損失を克服するに十分であり得る。
【００６４】
しかし、より高い信号搬送波周波数で、同じカバレッジ領域に対応する送信ビーム電力増幅はより高い電波損失を克服するに十分でない場合があり、カバレッジ領域内のＵＥ位置で受信された信号品質の低下を招く。このような受信された信号品質の劣化を克服するために、ｇＮＢは複数の送信ビームを形成でき、各々は全体カバレッジ領域に比べて狭い領域にわたってカバレッジを提供し、高い送信信号搬送波周波数の使用による高い信号電波損失を克服するに十分な送信電力増幅を提供する。
【００６５】
進歩した通信で最小システム情報を送信するためのいくつかの実施形態が本開示で考慮される。
【００６６】
一部の実施形態では、残りの最小システム情報はＮＲ−ＰＢＣＨ（ｎｅｗ  ｒａｄｉｏ−ｐｈｙｓｉｃａｌ  ｂｒｏａｄｃａｓｔｉｎｇ  ｃｈａｎｎｅｌ）によって少なくとも部分的に指示された他のチャネルを通して送信される。一実施形態では、ＮＲ−ＰＢＣＨはＵＥが残りの最小システム情報を運搬するチャネルを受信するに必要な情報を含む最小システム情報の一部を運搬する。他の例では、上述の例の情報に加えて、ＮＲ−ＰＢＣＨはＵＥが初期ＵＬ送信を行うために必要な情報（ＮＲ−ＰＲＡＣＨに限られず、例えば、ＰＲＡＣＨ（ｐｈｙｓｉｃａｌ  ｒａｎｄｏｍ  ａｃｃｅｓｓ  ｃｈａｎｎｅｌ）ｍｓｇ１（ｍｅｓｓａｇｅ  １）及び初期ＵＬ送信に対する応答を受信するに必要な情報（例えば、ＰＲＡＣＨ  ｍｓｇ２）を運搬する。
【００６７】
一部の実施形態では、残りの最小システム情報はＮＲ−ＰＢＣＨに表示されない他のチャネルを通して送信される。一実施形態では、ＮＲ−ＰＢＣＨはＵＥが初期ＵＬ送信を行うために必要な情報（ＮＲ−ＰＲＡＣＨ、例えばＰＲＡＣＨｍｓｇ１に限定されず）及び初期ＵＬ送信に対する応答を受信するに必要な情報（例えば、ＰＲＡＣＨｍｓｇ２）を運搬する。このような例で、残りの最小システム情報を受信するに必要な情報は最初のＵＬ送信の後に提供される。
【００６８】
一部の実施形態では、ＮＲ−ＰＢＣＨは全ての最小システム情報を運搬する。
【００６９】
ＬＴＥ仕様でマスター情報ブロック（ｍａｓｔｅｒ  ｉｎｆｏｒｍａｔｉｏｎ  ｂｌｏｃｋ、ＭＩＢ）は周期的に４０ｍｓ周期で放送（ｂｒｏａｄｃａｓｔ）され、システム情報ブロック１（ｓｙｓｔｅｍ  ｉｎｆｏｒｍａｔｉｏｎ  ｂｌｏｃｋ  １、ＳＩＢ１）は周期的に８０ｍｓ周期で放送され、ＳＩＢ２は周期的に放送されその周期はＳＩＢ１によって構成される。
【００７０】
ＭＩＢは周期が４０ｍｓで反復が４０ｍｓ以内の固定された周期を用いる。ＭＩＢの第１送信はＳＦＮ  ｍｏｄ  ４＝０の無線フレームのサブフレーム＃０でスケジューリングされ、反復は他の全ての無線フレームのサブフレーム＃０でスケジューリングされる。ＣＥ（ｃｏｖｅｒａｇｅ  ｅｎｈａｎｃｅｍｅｎｔ）内のＢＬ（ｂａｎｄｗｉｄｔｈ  ｒｅｄｕｃｅｄ  ｌｏｗ  ｃｏｍｐｌｅｘｉｔｙ）ＵＥ又はＵＥをサポートする１．４ＭＨｚより大きな帯域幅を有する時分割デュプレックス（ｔｉｍｅ  ｄｉｖｉｓｉｏｎ  ｄｕｐｌｅｘ、ＴＤＤ）／周波数分割デュプレックス（ｆｒｅｑｕｅｎｃｙ  ｄｉｖｉｓｉｏｎ  ｄｕｐｌｅｘ、ＦＤＤ）システムの場合、ＭＩＢ送信はＦＤＤに対する以前の無線フレームのサブフレーム＃９及びＴＤＤに対する同じ無線フレームのサブフレーム＃５で反復され得る。
【００７１】
図７は、本開示の多様な実施形態による無線通信システムにおけるシステム情報ブロック送信７００を示す。図７に示したシステム情報ブロック送信７００の実施形態は単なる説明のためのものである。図７に示す１つ以上の構成要素は言及された機能を行うように構成された特殊回路、又は言及された機能を行うための命令を実行する１つ以上のプロセッサによって具現され得る１つ以上の構成要素で具現され得る。他の実施形態は本開示の範囲から逸脱することなく用いられる。
【００７２】
ＳｙｓｔｅｍＩｎｆｏｒｍａｔｉｏｎＢｌｏｃｋＴｙｐｅ１（ＳＩＢ１）は周期が８０ｍｓで８０ｍｓ以内で反復する固定スケジュールを用いる。ＳｙｓｔｅｍＩｎｆｏｒｍａｔｉｏｎＢｌｏｃｋＴｙｐｅ１の第１送信はＳＦＮ  ｍｏｄ  ８＝０の無線フレームのサブフレーム＃５でスケジューリングされ、反復はＳＦＮ  ｍｏｄ  ２＝０の全ての他の無線フレームのサブフレーム＃５でスケジューリングされる。レガシーＬＴＥによるＳＩＢ１送信機会が図７に示されている。他のＳＩＢはＳＩＢ１送信を予定しないサブフレームでのみ送信され得る。
【００７３】
ＳＩ（ｓｙｓｔｅｍ  ｉｎｆｏｒｍａｔｉｏｎ）メッセージは動的スケジューリングを用いて周期的に発生する時間領域ウィンドウ（ＳＩ−ｗｉｎｄｏｗｓと称する）内で送信される。各々のＳＩメッセージはＳＩ−ウィンドウと関連付けられ、他のＳＩメッセージのＳＩ−ウィンドウは重ならない。すなわち、１つのＳＩ−ウィンドウ内で対応するＳＩのみが送信される。ＳＩ−ウィンドウの長さは全てのＳＩメッセージに共通的で、構成可能である。ＳＩ−ウィンドウ内で、対応するＳＩメッセージはＭＢＳＦＮサブフレーム、ＴＤＤのアップリンクサブフレーム及びＳＦＮ  ｍｏｄ２＝０の無線フレームのサブフレーム＃５以外の任意のサブフレームで複数回送信され得る。ＵＥはＰＤＣＣＨ上のシステム情報無線ネットワーク一時識別子（ｓｙｓｔｅｍ  ｉｎｆｏｒｍａｔｉｏｎ  ｒａｄｉｏ  ｎｅｔｗｏｒｋ  ｔｅｍｐｏｒａｒｙ  ｉｄｅｎｔｉｆｉｅｒ、ＳＩ−ＲＮＴＩ）の復号化から詳細な時間領域スケジューリング（及び周波数領域スケジューリング、使用された送信フォーマットのような他の情報）を獲得する。
【００７４】
ＢＬ以外のＵＥ又はＣＥ  ＳＩ−ＲＮＴＩ内のＵＥに対しては全てのＳＩメッセージだけでなくＳｙｓｔｅｍＩｎｆｏｒｍａｔｉｏｎＢｌｏｃｋＴｙｐｅ１を処理するために用いられる。ＳｙｓｔｅｍＩｎｆｏｒｍａｔｉｏｎＢｌｏｃｋＴｙｐｅ１はＳＩメッセージのＳＩウィンドウ長さと送信周期を構成する。
【００７５】
一部の実施形態では、ＳＩメッセージを獲得する時、ＵＥは関連ＳＩメッセージに対するＳＩ−ウィンドウの開始を次のように決定できる。一実施形態では、関連ＳＩメッセージに対して、ＵＥはＳｙｓｔｅｍＩｎｆｏｒｍａｔｉｏｎＢｌｏｃｋＴｙｐｅ１内のｓｃｈｅｄｕｌｉｎｇＩｎｆｏＬｉｓｔによって構成されたＳＩメッセージのリストでエントリーの順序に対応する数ｎを決定する。他の例で、ＵＥは整数値ｘ＝（ｎ−１）＊ｗを決定し、ここで、ｗはＳＩ−ＷｉｎｄｏｗＬｅｎｇｔｈである。他の例で、ＳＩ−ウィンドウはＳＦＮ  ｍｏｄ  Ｔ＝ＦＬＯＯＲ（ｘ／１０）の無線フレームでサブフレーム＃ａ（ａ＝ｘ  ｍｏｄ  １０）から開始し、ここで、Ｔは関連ＳＩメッセージのＳＩ−周期である。この場合、ネットワークは全てのＳＩがＳＦＮ  ｍｏｄ  ２＝０の無線フレームでサブフレーム＃５以前にスケジューリングされる場合にのみ１ｍｓのＳＩ−ウィンドウを構成できる。
【００７６】
一部の実施形態では、ＵＥはＳＩ−ウィンドウの開始からＳＩ−ＲＮＴＩを用いてＤＬ−ＳＣＨを受信し、ＳＩ−ＷｉｎｄｏｗＬｅｎｇｔｈによって与えられた時間の絶対長さを持つＳＩ−ウィンドウの終了まで又はＳＩメッセージが受信されるまで続き、次のサブフレームは除く：ＳＦＮ  ｍｏｄ  ２＝０の無線フレーム内のサブフレーム＃５、全てのＭＢＳＦＮサブフレーム；及び／又はＴＤＤの任意のアップリンクサブフレーム。ＳＩ−ウィンドウが終了するまでＳＩメッセージが受信されなかった場合、該当ＳＩメッセージに対して次のＳＩ−ウィンドウで受信を反復する。
【００７７】
本開示で、ＳＳバーストセットはＮ１個のＳＳバーストのセットを意味する；ＳＳバーストセットは周期Ｐで周期的に反復され、ここで、Ｐはミリ秒単位で５、１０、２０、４０、８０などの整数で、Ｎ１は整数、例えば１、２又は４である。ＳＳバーストは連続的なＮ２  ＳＳブロックのセットを意味し、Ｎ２は整数、例えば、７、１４、２８、５６である。ＳＳブロックはＴＤＭ、ＦＤＭ、ＣＤＭ又はハイブリッド方式で多重化される同期信号、放送信号及び基準信号の組み合わせを含む。セル範囲はバーストセットを含むＳＳブロックにビームスウィープ（ｂｅａｍ  ｓｗｅｅｐ）によって提供される。互いに異なったＴＲＰＴｘビームはバーストセット内の互いに異なったＳＳブロックに対して用いられ得る。
【００７８】
図８は、本開示の多様な実施形態による無線通信システムにおけるＳＳ（ｓｙｎｃｈｒｏｎｉｚａｔｉｏｎ  ｓｉｇｎａｌ）ブロック送信８００を示す。図８に示すＳＳブロック送信８００の実施形態は単なる説明のためのものである。図８に示す１つ以上の構成要素は言及された機能を行うように構成された特殊回路、又は言及された機能を行うための命令を実行する１つ以上のプロセッサによって具現され得る１つ以上の構成要素で具現され得る。他の実施形態は本開示の範囲から逸脱することなく用いられる。
【００７９】
一部の実施形態では、ＳＳバーストセットは８個のＳＳバーストで構成され、各ＳＳバーストは図８に示すように１４個のＳＳブロックで構成される。１つのＳＳブロックはＦＤＭされたＰＳＳ、ＳＳＳ及びＥＳＳで構成される。
【００８０】
本開示は、多重ビーム及び単一ビーム動作と関連して進歩した無線システムで残りの最小システム情報（ｒｅｍａｉｎｉｎｇ  ｍｉｎｉｍｕｍ  ｓｙｓｔｅｍ  ｉｎｆｏｒｍａｔｉｏｎ、ＲＭＳＩ）及び他のＳＩを送信するためのいくつかの方式を説明する。
【００８１】
最小ＳＩはＭＩＢとＲＭＳＩに分けられる。ＭＩＢは各Ｐ  ｍｓｅｃウィンドウでＰＢＣＨを介して反復的に送信され、ＰＢＣＨ送信ウィンドウは周期性Ｐ  ｍｓｅｃで周期的に反復される。ＲＭＳＩ送信機会は予め定義されるか、ＭＩＢ内の情報要素によって指示され得る。
【００８２】
ＲＭＳＩリソース構成で表示されるＭＩＢに表示されたＲＭＳＩ送信機会は次のパラメータの内の１つ以上を含むことができ、情報は個別的に又は共同でコーディングされ得る。
【００８３】
ＲＭＳＩリソース構成はＲＭＳＩ送信が発生し得る間隔を定義するために使用されるＲＭＳＩウィンドウを含む。
【００８４】
ＲＭＳＩリソース構成はＲＭＳＩ送信の周期性（例えば、ｍｓｅｃ又は無線フレームの数と関連して）、またＲＭＳＩウィンドウサイズに対応できるＰＲＭＳＩを含む。ＲＭＳＩは各ＲＭＳＩウィンドウで反復的に送信され、ＲＭＳＩ内容はＲＭＳＩウィンドウで同じである。また、ＲＭＳＩウィンドウはＲＭＳＩ  ＴＴＩを参照することもできる。
【００８５】
ＲＭＳＩリソース構成はスロット又はｍｓｅｃ単位のＲＭＳＩ時間オフセットを含み、前記時間オフセットはＲＭＳＩウィンドウでのＲＭＳＩ送信の最初発生に対するＲＭＳＩウィンドウの開始からである。一例として、ＲＭＳＩ時間オフセットｘ（ｍｓｅｃ単位）が与えられ、ＰＲＭＳＩが無線フレーム単位に定義されると、ＲＭＳＩ送信はＳＦＮ  ｍｏｄ  ＰＲＭＳＩ＝ＦＬＯＯＲ（ｘ／１０）を満足する無線フレームでサブフレームｘから開始するＲＭＳＩウィンドウ内で発生し得る。
【００８６】
ＲＭＳＩリソース構成はＲＭＳＩ送信のために割り当てられたＲＭＳＩバーストサイズ、すなわち連続スロット又はミニスロット（又は制御リソースセット（ｃｏｎｔｒｏｌ  ｒｅｓｏｕｒｃｅ  ｓｅｔ、ＣＯＲＥＳＥＴ）及びＲＭＳＩ用ＰＤＳＣＨ）の数を含む。マルチビームスウィーピング作動をサポートするためにバーストサイズは１より大きい場合がある。マルチビームスウィーピングがバーストを含む連続的なＯＦＤＭシンボルの複数のブロックにわたって行われ得る場合、ブロック又はバーストを含む複数のミニ−スロットあたり１つのビーム、すなわちミニ−スロットあたり１つのビームを含む。ＵＥは各ブロック／ミニ−スロットでＰＤＳＣＨ（及びＰＤＣＣＨ）に使用されるアンテナポートのセットがＲｘビーム／モード（空間パラメータ）、及び遅延及びドップラーなどの他の大規模パラメータでＱＣＬ（ｑｕａｓｉ−ｃｏｌｏｃａｔｉｏｎ）であると仮定できる。ＲＭＳＩバーストサイズは実際に伝送されたＳＳブロックの数と同じであり得る。この場合、ＲＭＳＩバーストサイズは実際に送信されたＳＳブロックの数によって暗示的に表示され得る；又は実際送信されたＳＳブロックの数は暗示的にＲＭＳＩバーストサイズによって表示される。
【００８７】
ＲＭＳＩ送信はＲＭＳＩブロック長さ（又はＲＭＳＩミニ−スロット長さ）、すなわちミニスロット又はブロックを含む（参照／構成されたヌメロロジーでの）連続的なＯＦＤＭシンボルの数を含む。本開示で、「ブロック」及び「ミニ−スロット」は同じものを意味する場合があり、交互に用いられる。ＲＭＳＩブロックはＣＯＲＥＳＥＴの時間周波数リソースとＲＭＳＩのＰＤＳＣＨを含むことができる。
【００８８】
ＲＭＳＩリソース構成はＲＭＳＩブロック帯域幅（又はＲＭＳＩミニスロット帯域幅）、すなわちＲＭＳＩ送信に使用されるミニスロット又はブロックに割り当てられた帯域幅を含む。
【００８９】
ＲＭＳＩリソース構成は各ＲＭＳＩウィンドウ内のＲＭＳＩデューティーサイクル（ｄｕｔｙ  ｃｙｃｌｅ）（例えば、ＲＭＳＩウィンドウ内の２つの隣接したＲＭＳＩ送信の間の時間間隔）を含む。該フィールドはＲＭＳＩウィンドウのＲＭＳＩバースト数が１より大きい場合にのみ有効である。
【００９０】
ＲＭＳＩリソース構成はＲＭＳＩ−ＰＤＣＣＨ表示子（ｉｎｄｉｃａｔｏｒ）、すなわちＲＭＳＩ送信を受信するためにＰＤＣＣＨを検索するか否かをＵＥに表示するための１ビット情報を含む。ＵＥがＰＤＣＣＨを検索するように指示されると、ＲＭＳＩはＰＤＣＣＨによってスケジューリングされたＰＤＳＣＨを介して送信され、ここで、ＭＣＳ及びＰＤＳＣＨ帯域幅（ｂａｎｄｗｉｄｔｈ、ＢＷ）はスロットあたり（又はミニスロットあたり又はブロックあたり）ＰＤＣＣＨによって表示される。ＵＥがＲＭＳＩ受信のためにＰＤＣＣＨを探索しないように指示されると、ＲＭＳＩは予め定義されたＢＷ及び予め定義されたＭＣＳを介して送信される。例えば、予め定義されたＢＷはシステムＢＷと同じである。
【００９１】
ＲＭＳＩリソース構成はＭＣＳ、ＰＲＢ割り当てを含む；前記ＭＣＳ及びＰＲＢはＲＭＳＩを伝達するＰＤＳＣＨを受信するためのものである。
【００９２】
ＲＭＳＩリソース構成によって明示的に構成されない一部のパラメータは前述の例でＲＭＳＩバーストの各スロット／ミニスロットでＰＤＣＣＨで予め構成されるか、又は表示され得る。この場合、上記並べられたパラメータの第１サブセットは予め構成される；第２サブセットはＭＩＢに構成され、第３サブセットはＰＤＣＣＨに表示される；また、第１及び第２及び第３サブセットは相互排他的で、これらの合計集合はパラメータセットと同じである。
【００９３】
図９は、本開示の多様な実施形態による無線通信システムにおけるＲＭＳＩ送信９００を示す。図９に示したＲＭＳＩ送信９００の一実施形態は単なる例示のためのものである。図９に示す１つ以上の構成要素は注目された機能を行うように構成された特殊回路で具現されることができたり、１つ以上の構成要素は言及された機能を行うための命令を実行する１つ以上のプロセッサによって具現され得る。他の実施形態は本開示の範囲から逸脱することなく用いられる。
【００９４】
ＲＭＳＩリソース構成のビット幅と内容は異なった搬送波セットによって異なる場合がある。第１セットは搬送波周波数範囲＞６ＧＨｚ、例えば１５ＧＨｚ、２８ＧＨｚ、３０ＧＨｚ、６０ＧＨｚなどであって、第２セットは搬送波周波数範囲＜６ＧＨｚ、例えば２、３．５及び４ＧＨｚに該当する。
【００９５】
一部の実施形態では、搬送波周波数が第１セットに属する場合、ＵＥは予め構成されたＲＭＳＩ受信リソースを仮定できる；搬送波周波数が第２セットに属する場合、ＵＥはＰＤＣＣＨをデコードしてＲＭＳＩに対するＰＤＳＣＨ  ＢＷ及びＭＣＳの表示を得ることができる。
【００９６】
一部の実施形態では、搬送波周波数が第１セットに属する場合、ＵＥはｘ＞０ビットがＲＭＳＩリソース構成に割り当てられると仮定できる；それとも、搬送波周波数が第２セットに属する場合、ＵＥは０ビットが構成に割り当てられると仮定できる。二番目の場合はＲＭＳＩ送信機会は予め構成されており適応性がない。
【００９７】
一部の実施形態では、搬送波周波数が第１セットに属する場合、ＲＭＳＩバーストサイズに対するビット幅は複数の候補の内の１つの番号を表すためにｙ＞０ビットであって；搬送波周波数が第２セットに属する場合、ビット幅は０であって、この場合、ＲＭＳＩバーストサイズは予め構成された値、例えば、１タイムスロットと同じである。
【００９８】
ＮＲ−ＰＢＣＨで伝送されたスケジューリング情報ペイロードは単一ビーム（搬送波周波数の第２セット）及び多重ビームスウィーピング（第１セット）に対して異なる場合がある。２つの場合はいずれも一部の予約情報が予め構成され得る。多重ビームスウィーピングの場合（第１セット）に対してＰＢＣＨはＲＭＳＩに必要なＰＤＳＣＨスケジューリング情報を表す。単一ビームの場合（第２セット）に対して、ＰＢＣＨ及びＰＤＣＣＨはＲＭＳＩに必要なＰＤＳＣＨスケジュールリング情報を共に表示する。
【００９９】
ＲＭＳＩは特にＳＳビームによって伝送されることができ、ＵＥは各ＲＭＳＩバーストに割り当てられたブロック又はミニスロットの数がＳＳバースト（又はＳＳバーストセット）のＳＳブロックの数と同じであると仮定するように構成される。ＳＳブロックの数は予め構成されたりＭＩＢに表示され得る。この場合、端末はＳＳブロックＩＤ＃ｎでＳＳ／ＰＢＣＨを検出するとｎ番目のＲＭＳＩブロックのＲＭＳＩをデコードしようと試み、他のＲＭＳＩブロックはスキップ（ｓｋｉｐ）してＵＥの電力消耗を低減できる。ｎ番目のＳＳブロック及びｎ番目のＲＭＳＩブロックに対して、ＵＥはこれらの２つの類型のブロック内のアンテナポートがコヒーレント（ｃｏｈｅｒｅｎｔ）で、Ｒｘモード（空間パラメータ）、遅延及びドップラー拡散／パラメータを含む大きなスケールパラメータらでＱＣＬであると仮定できる。一方で、異なった番号のＳＳブロック及びＲＭＳＩブロックに対して、ＵＥはこれらのアンテナポートがコヒーレントであると仮定しない場合がある；また、ＵＥはこれらのアンテナポートがＱＣＬであると仮定しない場合がある。
【０１００】
その代わりに、各々のＲＭＳＩバーストのＲＭＳＩブロックの数はＳＳバーストセットのために構成されたビーム（又はブロック）の数より小さく構成され得る。この場合、ＵＥは各ＲＭＳＩバーストで構成された全てのＲＭＳＩブロックを介してＲＭＳＩをデコードしようと試みることができる。ＵＥの数が少ない場合、この方式はネットワーク電力消耗面からより効率的でシステムオーバーヘッドを少なく消費できる。この場合、ＵＥはＲＭＳＩブロック及びＳＳブロック内のアンテナポートがコヒーレントであると仮定しない場合がある；ＵＥはこれらの異なったブロック内のアンテナポートがＱＣＬであると仮定しない場合がある。
【０１０１】
上述の実施形態らで示すように、ＲＭＳＩと類似したパラメータセットを用いてＳＩＢ−ＰＤＣＣＨ／ＰＤＳＣＨ（本願で後ほどＳ−ＰｘＣＨと表示する）伝送機会が構成され得るが、これらのパラメータはＭＩＢよりはＲＭＳＩで表示され、その内容はＲＭＳＩよりはＳＩＢ−ＰＤＳＣＨのためのものである。
【０１０２】
Ｓ−ＰｘＣＨは特にＲＭＳＩビームを介して伝送されることができ、ＵＥは各Ｓ−ＰｘＣＨバーストに割り当てられた複数のブロック又はミニスロットがＲＭＳＩバーストのＲＭＳＩブロックの数と同じであると仮定するように構成される。この場合、ＵＥはＲＭＳＩブロック＃ｎでＲＭＳＩを検出すると、ＵＥはｎ番目のＳ−ＰｘＣＨブロックのＳ−ＰｘＣＨをデコードしようと試みることができ、他のブロックをスキップ（ｓｋｉｐ）してＵＥ電力消費を節約できる。ｎ番目のＲＭＳＩブロック及びｎ番目のＳ−ＰｘＣＨブロックに対して、ＵＥはこれらの２つの類型のブロック内のアンテナポートがコヒーレントで、Ｒｘモード（空間パラメータ）、遅延及びドップラー拡散／パラメータを含む大きなスケールパラメータでＱＣＬであると（ｑｕａｓｉ−ｃｏｌｏｃａｔｅｄ）仮定できる。一方、異なった番号のＲＭＳＩブロック及びＳ−ＰｘＣＨブロックに対して、ＵＥはこれらのアンテナポートがコヒーレントであると仮定しない場合がある；また、ＵＥはこれらの異なったブロック内のアンテナポートがＱＣＬであると仮定しない場合がある。
【０１０３】
その代わりに、各Ｓ−ＰｘＣＨバーストのＳ−ＰｘＣＨブロックの数はＲＭＳＩバーストセットのために構成されたビーム（又はブロック）の数より少なく（一般には異なるように）構成され得る。この場合、ＵＥは各Ｓ−ＰｘＣＨバーストで構成された全てのＳ−ＰｘＣＨブロックを介してＳ−ＰｘＣＨをデコードしようと試みることができる。ＵＥの数が少ない場合、この方式はネットワーク電力消耗面からより効率的でシステムオーバーヘッドを少なく消費できる。この場合、ＵＥはＳ−ＰｘＣＨブロック及びＲＭＳＩブロック内のアンテナポートがコヒーレントであると仮定しない場合がある；ＵＥはこれらのアンテナポートがＱＣＬインであると仮定しない場合がある。
【０１０４】
ＲＭＳＩ／Ｓ−ＰｘＣＨウィンドウ内の全てのＲＭＳＩ／Ｓ−ＰｘＣＨバーストでのＲＭＳＩ／Ｓ−ＰｘＣＨブロックの数は同じである。ＲＭＳＩ／Ｓ−ＰｘＣＨウィンドウ内の異なったＲＭＳＩバースト（例えば、全てのＲＭＳＩ／Ｓ−ＰｘＣＨバーストのＲＭＳＩ／Ｓ−ＰｘＣＨブロックｎ）にわたって同じＲＭＳＩ／Ｓ−ＰｘＣＨブロック位置に対して、ＵＥはＴＲＰが同じビームを適用したと仮定できる。この場合、ＵＥはこれらのブロック内のアンテナポートがコヒーレントで、Ｒｘモード（空間パラメータ）、遅延及びドップラー拡散／パラメータを含む大きなスケールパラメータでＱＣＬであると仮定できる。
【０１０５】
一方、ＲＭＳＩ／Ｓ−ＰｘＣＨウィンドウ（ら）内、及びその間の他の番号のＲＭＳＩ／Ｓ−ＰｘＣＨブロックらに対して、ＵＥはこれらのアンテナポートがコヒーレントであると仮定しない場合がある；また、ＵＥはこれらのアンテナポートがＱＣＬであると仮定しない場合がある。
【０１０６】
ＲＭＳＩ及び／又はＳＩＢ及び／又はページング伝送のために、１セットのＰＤＣＣＨ探索空間（すなわち、ＣＯＲＥＳＥＴ）が構成され得る。ＰＤＣＣＨ伝送に用いられるヌメロロジーは基本ヌメロロジーの関数に決定される。最大１２０ｋＨｚヌメロロジーの場合、ＰＤＳＣＨは信頼性を持って伝送され得る；しかし、２４０ｋＨｚヌメロロジーの場合、ＰＤＳＣＨは信頼性を持って伝送されることができない。したがって、ＲＭＳＩ／ＳＩＢに対する基本ヌメロロジー及びＣＯＲＥＳＥＴヌメロロジーの間で表１に表したように次のマッピングを使用することを提案する。下記表で、周波数帯域Ａ、Ｂは６ＧＨｚ以下の範囲で定義される；また、Ｃ、Ｄは６ＧＨｚ以上の範囲で定義される。
【０１０７】
【表１】
2020504971.tif 000003
【０１０８】
ＳＳブロックカバレッジを向上させるために、同じビームが複数のＳＳブロックにわたって用いられ得る。ＵＥデフォルト仮定は異なったブロックに用いられるビームが異なるということにある。しかし、（ブロードキャストシグナリングで、例えば、ＭＩＢで）ＵＥは１つのグループに属するＳＳブロックが１つの同じビームを用いて伝送されると仮定できるように表示され得る。この場合、ＵＥは同じグループに属する複数のＳＳブロックにわたって測定された測定値を平均化してＳＳブロックＲＳＲＰを導出できる。
【０１０９】
ＳＳブロックとＣＯＲＥＳＥＴの間のＱＣＬ関連のために一対一マッピング又は多対一マッピングが用いられ得る。マッピング関係（すなわち、一対一又は多対一）及び／又は関連パラメータ（例えば、Ｊｍａｘ及び／又はＮＧはその定義が以下に説明される）はブロードキャストシグナリング、例えば、ＭＩＢで構成され得る。
【０１１０】
多対一マッピングが構成されると、ＳＳブロックグループｊはＲＭＳＩブロックｊとＱＣＬされ、ここで、ｊ＝０，…，Ｊｍａｘ−１で、Ｊｍａｘは構成されたＣＯＲＥＳＥＴの総数（ＳＳブロックグループ数に該当する）である。この場合、（実際に伝送された）ＳＳブロックの総数はＮＧ・Ｊｍａｘと同じで、ここで、ＮＧはＳＳブロックグループあたりＳＳブロック数である。
【０１１１】
グループｊに属するＳＳブロックインデックスは｛（ｊ−１）・ＮＧ＋０，１，…，ＮＧ−１｝である。多対一マッピングが構成される時、ＵＥはＳＳブロックグループごとにＳＳブロックＲＳＲＰを導出することができる。ＣＯＮＮＥＣＴＥＤモードでセル間測定のために、マッピング関係（すなわち、一対一又は多対一）及び／又は関連パラメータ（例：Ｊｍａｘ及び／又はＮＧ）はＲＳＲＰ測定と関連付けられたＳＳブロックベースの専用のシグナリングで構成され得る。
【０１１２】
一対一マッピングが構成されると、ＳＳブロックｊは一連のＱＣＬパラメータでＲＭＳＩブロック（ＣＯＲＥＳＥＴ）ｊでＱＣＬされ、ここで、ｊ＝０，…，Ｊｍａｘ−１で、Ｊｍａｘは（実際に伝送された）ＳＳブロックの総数である。この場合、ＮＧ＝１である。ＲＭＳＩブロックの長さはＳＳブロックグループあたりＳＳブロックの数、すなわちＮＧで共に決定／指示され得る。
【０１１３】
ＵＥがＲＭＳＩ  ＰＤＣＣＨを検索するように指示／構成されると、スケジューリングダウンリンク制御情報（ｄｏｗｎｌｉｎｋ  ｃｏｎｔｒｏｌ  ｉｎｆｏｒｍａｔｉｏｎ、ＤＣＩ）と関連付けられた巡回冗長検査（ｃｙｃｌｉｃ  ｒｅｄｕｎｄａｎｃｙ  ｃｈｅｃｋ、ＣＲＣ）は特定のＲＭＳＩ−ＲＮＴＩでスクランブリングされ得る。
【０１１４】
一部の実施形態では、各々のＲＭＳＩブロックが異なったｔｘビームを用いる場合、ＲＭＳＩブロックであるＮＲ−ＰＤＣＣＨスケジューリングの間ビーム特定ＲＭＳＩ−ＲＮＴＩがそのＤＣＩに対して生成されたＣＲＣに適用される。これはＲＭＳＩ＿ＲＮＴＩの下位６ビットをＭＩＢでシグナリングされたＳＳブロック時間インデックス（０−６ビット）と同じに設定することによって行われる。また、これはＲＭＳＩブロックに用いられるｔｘビームが該当時間インデックスに該当するＳＳブロックに用いられるものと同じｔｘビームと同じでなければならないことを要求する。ＵＥは対応するＳＳブロックビーム及び対応ビーム特定ＲＭＳＩ  ＲＮＴＩを適用する各々のＲＭＳＩブロックをデコードしようと試みる。
【０１１５】
他の一部の実施形態では、ＲＭＳＩブロック＃ｎのＲＭＳＩペイロードに対するＣＲＣは、例えば、空間ＱＣＬ仮定と関連して、関連付けられたＳＳブロックに対するＳＳブロック時間インデックスでスクランブリングされる。
【０１１６】
ＲＭＳＩ  ＣＯＲＥＳＥＴ（ら）はＳＳバーストセットごとに、又はＳＳバーストごとに、又はＳＳブロックごとに構成され得る。
【０１１７】
ＲＭＳＩ  ＣＯＲＥＳＥＴ（ら）がＳＳバーストセットごとに構成されると、ＭＩＢのＲＭＳＩスケジューリング情報はＳＳバーストセットを含むＳＳブロックで同じである。一実施形態では、ＲＭＳＩスケジューリング情報はＳＳブロックの時間リソースによって遅延されたオフセットによって決定され、オフセット番号はＭＩＢ内に表示される。他の実施形態では、ＲＭＳＩスケジューリング情報はＳＳバーストセットの無線フレーム番号に対する無線フレーム又は半無線フレーム単位のオフセットによって表示される。
【０１１８】
ＲＭＳＩ  ＣＯＲＥＳＥＴ（ら）がＳＳバーストごとに構成されると、ＭＩＢのＲＭＳＩスケジューリング情報はＳＳバーストを構成するＳＳブロックで同じである；しかし、前記情報はＳＳバーストセットを含む異なったＳＳバーストで伝送されたＭＩＢにわたって異なる場合がある。
【０１１９】
ＳＳブロックあたりＲＭＳＩ  ＣＯＲＥＳＥＴ（ら）が構成されると、ＳＳバースト集合を構成する様々なＳＳブロックでＭＩＢのＲＭＳＩ予約情報が変わる場合がある。一実施形態では、単一ＲＭＳＩ  ＣＯＲＥＳＥＴはＳＳブロックによって伝達されたＭＩＢに表示される。ＲＭＳＩ  ＣＯＲＥＳＥＴの時間−周波数リソースはＳＳブロックによって伝達されたＭＩＢによってのみ決定される。この場合、ＲＭＳＩ  ＣＯＲＥＳＥＴの時間リソースはＳＳブロックの時間リソース分遅延してオフセットされ、オフセット番号は各（ビーム特定）ＭＩＢに表示される。オフセット値はＯＦＤＭシンボルの数、デフォルト（ＳＳブロック）ヌメロロジーによって、又は代案として構成されたヌメロロジーによって定義されたフレーム構造内のスロットの数で表示され得る。
【０１２０】
ビーム特定の代案は、単一ＣＯＲＥＳＥＴのみが個別ＳＳブロック特定のＭＩＢで構成される必要があるので、より効率的なＣＯＲＥＳＥＴ構成を許容できる。それにもかかわらず、大部分のＣＯＲＥＳＥＴ構成情報は全てのＳＳブロックで共通的であり得る；しかし、一部の情報は、例えば、ＣＯＲＥＳＥＴタイミング構成のようなＳＳブロック特定であり得る。バッチで構成された全てのＣＯＲＥＳＥＴのタイミングを他の代案と比べると、この代案は単一タイミングのみを構成すればよいのでより小さなＭＩＢペイロードを必要とすることがわかる。また、これはＱＣＬ関係を作るためにＳＳブロックからＣＯＲＥＳＥＴへの多対一マッピングがネットワーク具現によって処理されＱＣＬ関係を作るためにビットを使用する必要が無いことを意味する場合もある。ＳＳブロックによって構成されたＣＯＲＥＳＥＴが空間パラメータを含むＱＣＬパラメータでＱＣＬされることを明確にしなければならない場合もある。
【０１２１】
一部の実施形態では、ＳＳブロック内のＭＩＢ内のＣＯＲＥＳＥＴ構成はＰＤＣＣＨ  ＤＭＲＳが少なくても空間パラメータでＳＳブロックとＱＣＬである単一ＣＯＲＥＳＥＴを指示する。このような実施形態では、異なったＳＳブロックは異なったＣＯＲＥＳＥＴを示すことができる。
【０１２２】
一実施形態では、ＣＯＲＥＳＥＴマッピングのためのＮ個の候補パラメータ値セットは表にハードコーディングされ、ＭＩＢで運搬されるｌｏｇ２（Ｎ）ビット情報はどれが用いられるかを示す。各パラメータ値セットは実施形態１で論議されたパラメータのサブセット、すなわちＣＯＲＥＳＥＴ周期性、ＣＯＲＥＳＥＴ時間オフセット（第１ＳＳブロック又はフレーム境界とともに）、ＣＯＲＥＳＥＴバーストサイズ、ＣＯＲＥＳＥＴ長さ（すなわち、ＯＦＤＭシンボル単位で）、ＣＯＲＥＳＥＴ又はＲＭＳＩ／ＳＩＢ  ＢＷスーパーセット（又はＳＩＢ／ＲＭＳＩに対するＰＤＳＣＨをスケジューリングするＰＤＣＣＨでのスケジュールリング割り当てのために仮定できるＰＤＳＣＨスーパーセットＢＷと表示される）及びＣＯＲＥＳＥＴデューティーサイクルから選択されたパラメータのサブセットを含む。表で指定されていない残りのパラメータは常数値を持つか；又はＭＩＢの他のフィールドを用いて明示的に構成され得る。
【０１２３】
他の実施形態では、ＣＯＲＥＳＥＴ  ＢＷ、ＰＤＳＣＨスーパーセットＢＷ及びＣＯＲＥＳＥＴ時間位置はＭＩＢでともに表示されるか、別途表示される。
【０１２４】
ＣＯＲＥＳＥＴ  ＢＷはＭＩＢで明示的に構成され得るか（例えば、搬送波−特定の最小ＢＷ内の複数の候補ＢＷから選択された１つのＢＷ、すなわち、表２に示すように最小ＣＨＢＷ）；又は代替的には、ＣＯＲＥＳＥＴ  ＢＷはＳＳブロックＢＷ又は搬送波周波数の最小ＢＷと同じであるように構成／ハードコーディングされる。代替的なＣＯＲＥＳＥＴ  ＢＷ割り当ての動機は２つの類型のＵＥ、すなわち、狭帯域ＢＷ端末及び広帯域ＢＷ端末をサポートすることである。
【０１２５】
【表２】
2020504971.tif 000004
【０１２６】
ＰＤＳＣＨスーパーセットＢＷはＣＯＲＥＳＥＴ  ＢＷより広い又は同じであるように構成され得る。ＣＯＲＥＳＥＴで構成されたＰＤＣＣＨのＲＡフィールドはＰＤＳＣＨスーパーセットＢＷによって定義される。ＰＤＳＣＨスーパーセットＢＷを構成するためのいくつかの代案が考慮され得る。
【０１２７】
一部の実施形態では、ＰＤＳＣＨスーパーセットＢＷはＣＯＲＥＳＥＴ  ＢＷと同一にハードコーディングされる。
【０１２８】
一部の実施形態では、ＰＤＳＣＨスーパーセットＢＷはＭＩＢに表示される。
【０１２９】
そのような一例で、提示されたＢＷ値は（１）ＣＯＲＥＳＥＴ  ＢＷ又は周波数帯域での最小ＢＷ（すなわち、最小ＣＨＢＷ）；及び（２）周波数帯域で狭帯域ＵＥがサポートする最小ＢＷから選択される。（２）値の最小ＢＷ値はサポートされる最小ＵＥ能力によって指定され得る。
【０１３０】
ＬＴＥ仕様でサポートされる最小ＵＥ  ＢＷ受信機能は２０ＭＨｚである；ＮＲで、サポートされる最小ＵＥ  ＢＷ受信能力は（１）の最小ＢＷより大きい場合がある。この例は最小性能ＵＥによってサポートされるＢＷが周波数帯域でＣＯＲＥＳＥＴ  ＢＷより広くネットワークによってサポートされる帯域幅部分が最小ＢＷより大きい又は同じ場合に有用である。
【０１３１】
他の例で、表示されたＢＷ値は（１）ＣＯＲＥＳＥＴ  ＢＷ又は周波数帯域での最小ＢＷ；（２）第１ＢＷ；（３）第２ＢＷ；（４）第３ＢＷから選択される。この例はＣＯＲＥＳＥＴ  ＢＷを構成する方法に対するネットワークの柔軟性を提供する。
【０１３２】
他の例で、指示されたＢＷ値は（１）ＳＳブロックＢＷ；（２）１ｘＢＷ−部分ＢＷ；（３）２ｘＢＷ−部分ＢＷ；及び／又は（４）４ｘＢＷ−部分ＢＷから選択される。
【０１３３】
ＢＷ部分のＢＷ構成は多様な方式で行われ得る。１つの代案として、ＢＷ部分のＢＷは搬送波周波数帯域ごとに特定されるか／ハードコーディングされる。代案としては、ＢＷ部分のＢＷはＭＩＢ（又はＳＩＢｘ）に明示的に構成されるか／指示される。他の代案として、システムＢＷが１セットのＲＢＧに分割される時、各ＢＷ部分はリソースブロックグループ（ｒｅｓｏｕｒｃｅ  ｂｌｏｃｋ  ｇｒｏｕｐ、ＲＢＧ）のサブセットの単位で定義され、ＲＢＧは番号体系によって番号が付けられ、ここで、この目的のためのＲＢＧサイズは一定の定数、例えば１、２、３ＲＢになるようにハードコーディングされ得る。
【０１３４】
ＢＷ部分のＢＷはＲＢＧの数で定義できる。候補ＲＢＧ数はハードコーディングされることができ、ＵＥはＢＷ部分のＢＷを決定するためにＭＩＢに１つの値で表示され得る。ＵＥが単にＭＩＢを得る初期アクセス段階で、ＵＥはシステムＢＷを知らないが、ＵＥはデコードされたＰＢＣＨ（又は検出されたＳＳブロック）周囲の最小ＢＷ（又はＳＳブロックＢＷ）のみを知っている。この場合、ＲＢＧインデクシングは全体システムＢＷ全体にわたって行われることができない。
【０１３５】
図１０は、本開示の多様な実施形態による無線通信システムにおけるＲＢＧ送信１０００を示す。図１０に示すＲＢＧ伝送１０００の一実施形態は単なる説明のためのものである。図１０に示された１つ以上の構成要素は言及された機能を行うように構成された特殊回路、又は言及された機能を行うための命令を実行する１つ以上のプロセッサによって具現され得る１つ以上の構成要素で具現され得る。他の実施形態は本開示の範囲から逸脱することなく用いられる。
【０１３６】
一例で、図１０に示すように、ＳＳブロックＢＷセンターはＲＢＧｘと番号が付けられ；他の周辺ＲＢＧは順にインデクシングされ、ｘは周波数の一方の（「ｐｌｕｓ」）方向に増加する整数値に割り当てられ（すなわち、ｘ＋１、ｘ＋２，…）、ｘは周波数の他方の（「ｍｉｎｕｓ」）方向に減少する整数値に割り当てられる（すなわち、ｘ−１、ｘ−２，…）。図１０で、整数値ｘはハードコーディングされたりＭＩＢに表示され得る。
【０１３７】
ＢＷ部分の中心周波数位置はＳＳブロックの中心周波数に対する周波数オフセットの単位で（例えば、ポジティブ方向又はネガティブ方向の内のいずれかに向かう周波数リソースユニット（例えば、サブ搬送波、ＲＢなどのＲＢＧ）の個数の単位で）個別的に表示され得る。一例で、ＵＥはＭＩＢで整数値ｙを表示されることができ、これは負数、正数又は０であることができ、ＵＥはＲＭＳＩを受信するためのＢＷ部分の中心ＲＢＧをｘ＋ｙに決定して識別できる。ＭＩＢで表示され得るｙの候補値は搬送波周波数帯域ごとにハードコーディングされ得る。
【０１３８】
スロット内の時間領域ＣＯＲＥＳＥＴ位置がＭＩＢで表示され得る。表示された情報にはＣＯＲＥＳＥＴ（ら）が含まれた各スロットでＣＯＲＥＳＥＴ構成が含まれることができる。
【０１３９】
１つの代案として、ＣＯＲＥＳＥＴを伝達するための各スロット内のＸ候補ＣＯＲＥＳＥＴ時間位置（ＳＳブロックヌメロロジーによって定義される又は代替的にはＲＭＳＩヌメロロジーが構成される／表示される）が特定され得る。各々の候補時間位置はＯＦＤＭシンボル番号のセット単位で；又は代替的には開始ＯＦＤＭシンボル番号及び終了ＯＦＤＭシンボル番号の単位で；又は代替的には開始ＯＦＤＭシンボル番号及びＯＦＤＭシンボルの数の単位で特定され得る。
【０１４０】
ＵＥはＭＩＢで選択されたＸ候補ＣＯＲＥＳＥＴ時間位置から選択された１つが表示され得る。Ｘ＝４のＣＯＲＥＳＥＴ時間位置の例が表３にある。表３によれば、候補番号０が表示される時、ＣＯＲＥＳＥＴは１つのＯＦＤＭシンボル、すなわちＯＦＤＭシンボル０を含む；候補番号１が表示される時、ＣＯＲＥＳＥＴは２つのＯＦＤＭシンボル、すなわちＯＦＤＭシンボル０及び１を含む。ＣＯＲＥＳＥＴにマッピングする総スロットの数はＭＩＢに表示されたＣＯＲＥＳＥＴの数（又はＳＳブロックの数）によって暗示的に決定される；一例で、総スロットの数はＣＯＲＥＳＥＴの数（又はＳＳブロックの数）と同じである。
【０１４１】
ＭＩＢに表示されたフィールドの数字は説明のためのものである。表３で、エントリーのサブセット又は互いに異なったインデックスを有するサブセットは本開示の原理から逸脱することなく構成され得る。
【０１４２】
【表３】
2020504971.tif 000005
【０１４３】
一部の実施形態では、時間スロットオフセット（ｋ）及びＯＦＤＭシンボル番号はＭＩＢ内のビーム特定ＣＯＲＥＳＥＴ構成で指示される。時間スロットオフセット（ｋ）は検出されたＳＳブロックの時間スロット（ｎ）に対して；又は代案として、フレーム境界に対して表示され得る。ＣＯＲＥＳＥＴは時間スロットｎ＋ｋで指定されたＯＦＤＭシンボルに位置する。
【０１４４】
一部の実施形態では、ＵＥはＭＩＢで（１）各々のスロットにあるＣＯＲＥＳＥＴの数であるＮＣＳ；（２）ＣＯＲＥＳＥＴあたりＯＦＤＭシンボルの数、Ｌ２、（３）スロット内の該当ＣＯＲＥＳＥＴ位置が表示される。この場合、ＣＯＲＥＳＥＴにマッピングされる総スロットの数ＮＳはＣＯＲＥＳＥＴの総数ＮＣと各スロット内のＣＯＲＥＳＥＴの数ＮＣＳによって決定され：一例として、ＮＳ＝ＮＣ／ＮＣＳである。
【０１４５】
一部の実施形態では、ＣＯＲＥＳＥＴの開始シンボルは（１）各スロットでのＣＯＲＥＳＥＴの数ＮＣＳ；及び（２）ＣＯＲＥＳＥＴあたりＯＦＤＭシンボルの数Ｌ２の関数として決定される。ＮＣＳの候補数は１、２、４である。Ｌ２の候補数は１、２及び３である。この２つの数字（１）と（２）はＭＩＢで共同で又は別途表示され得る。又はこの２つの数字の内の１つは明示的に表示され、他の数字はスペックでハードコーディングされる。一例で、この２つの数字の内の１つは明示的に表示され、他の数字は暗示的に表示される。例えば、各スロットでＣＯＲＥＳＥＴの数は暗示的にＳＳバーストの数の関数に決定される。この場合、各スロットのＣＯＲＥＳＥＴの数はＳＳバーストの数と同じである。この場合、ＵＥは各々のスロットでのＣＯＲＥＳＥＴの数とＳＳバーストの数の間のマッピングテーブルを用いて各スロットでのＣＯＲＥＳＥＴの数を識別する。
【０１４６】
図１１は、本開示の多様な実施形態による無線通信システムにおける連続及び分散マッピングでのＣＯＲＥＳＥＴ伝送１１００の一例を示す。図１１に示すＣＯＲＥＳＥＴ伝送１１００の実施形態は単なる説明のためのものである。図１１に示す１つ以上の構成要素は言及された機能を行うように構成された特殊回路、又は言及された機能を行うための命令を実行する１つ以上のプロセッサによって具現され得る１つ以上の構成要素で具現され得る。他の実施形態は本開示の範囲から逸脱することなく用いられる。
【０１４７】
スロットのＣＯＲＥＳＥＴは分散又は連続方式でマッピングできる。ＮＣＳ個のＣＯＲＥＳＥＴがスロット内のシンボルにわたって分布している場合、ＣＯＲＥＳＥＴ  ｉの開始シンボルは（ｉ−１）＊Ｌ１で決定され、ここでｉ＝０，１，…，ＮＣＳ−１で、Ｌ１は２つの連続したＣＯＲＥＳＥＴの間のシンボル間隔を特定する整数である。一例で、Ｌ１＝Ｌ／ＮＣＳで、ここで、Ｌはスロット内のシンボルの数である。例えば、Ｌ＝１４でＮＣＳ＝２の場合、Ｌ１＝７である。ＮＣＳ個のＣＯＲＥＳＥＴがスロットのシンボルを横切って隣接した場合ＣＯＲＥＳＥＴ  ｉの開始シンボルは（ｉ−１）＊Ｌ２に決定され、ここで、ｉ＝０，１，…，ＮＣＳ−１である。ＵＥはＰＤＣＣＨを受信するために分散された又は連続したＣＯＲＥＳＥＴマッピングを使用するか否かがＭＩＢに表示され得る。この２つのＣＯＲＥＳＥＴマッピング方法が図１１に示されている。
【０１４８】
上述の実施形態によれば、ＮＣＳ個のＣＯＲＥＳＥＴは各スロットにマッピングされる。共通サーチスペースに対するＣＯＲＥＳＥＴマッピングに使用されるｓ番目のスロットにマッピングされるＣＯＲＥＳＥＴの身元を決定する多様な方法があることができ（これはＲＭＳＩバースト又はＲＭＳＩバーストセットと同じであり得る）、ここで、ｓ＝１，２，…，ＮＳである。一例で、ｓ番目のスロットで、ＣＯＲＥＳＥＴ｛（ｓ−１）＊ＮＣＳ，…，ｓ＊ＮＣＳ−１｝は時間領域から順にマッピングされる。他の方法で、ｓ番目のスロット内のｉ番目のＣＯＲＥＳＥＴはＳＳバーストｉのｓ番目ＣＯＲＥＳＥＴに該当する。
【０１４９】
ＣＯＲＥＳＥＴに用いられるスロットは全てのＺ個のスロット又は全てのフレームなどであり得る（ここで、Ｚ＝１，２，…）。このような候補構成表の内の一部に１つの選択されたＣＯＲＥＳＥＴをマッピングする方式がＭＩＢに表示され得る。この目的のために、数字ＺはＭＩＢに表示され得る。ＣＯＲＥＳＥＴの時間領域構成を表すためのこれらのパラメータの内の一部：スロットあたりＣＯＲＥＳＥＴの数（ＮＣＳ）；ＣＯＲＥＳＥＴあたりＯＦＤＭシンボルの数（Ｌ２）；スロットでＣＯＲＥＳＥＴの分散ｖｓ。連続マッピング；及びＣＯＲＥＳＥＴスロットデューティーサイクル（Ｚ）はＭＩＢに表示され得る。
【０１５０】
一部の実施形態では、ＭＩＢ構成されたＣＯＲＥＳＥＴ及びＲＭＳＩ  ＰＤＳＣＨの周波数領域マッピング、ＲＭＳＩのヌメロロジー、ＣＯＲＥＳＥＴ／ＰＤＳＣＨ及びＳＳブロックの多重化方式が決定される。
【０１５１】
一部の実施形態では、ＲＭＳＩスケジューリングのためのＣＯＲＥＳＥＴの周波数位置及びＲＭＳＩのためのＮＲ−ＰＤＳＣＨに対して、ＲＭＳＩスケジューリングのためのＣＯＲＥＳＥＴ及びＲＭＳＩのためのＮＲ−ＰＤＳＣＨは該当ＮＲ−ＰＢＣＨの同じＢＷとＣＯＲＥＳＥＴの帯域幅内に限定されない場合があり、ＲＭＳＩに対するＮＲ−ＰＤＳＣＨは与えられた周波数帯域に対するＵＥ最小帯域幅内に限定される。一部の実施形態では、少なくともＲＭＳＩ、最初アクセスのためのＭｓｇ．２／４及びブロードキャストされたＯＳＩのために用いられる単一ＤＬヌメロロジーはＮＲ−ＰＢＣＨペイロードで通知される。このような実施形態では、ヌメロロジーはページング、他の目的のためのＭｓｇ．２／４及びオンデマンド  （ｏｎ−ｄｅｍａｎｄ）ＯＳＩに用いられる。一部の実施形態では、ＮＲがＳＳ／ＰＢＣＨブロックとＣＯＲＥＳＥＴ／ＮＲ−ＰＤＳＣＨの間のＦＤＭをサポートするか否かが決定される。一部の実施形態では、ＣＯＲＥＳＥＴは少なくともＴＤＭのために設計される。
【０１５２】
リソースの断片化を最小化するために、送信されるこれらの信号をＭＩＢ構成されたヌメロロジー、すなわち、地域化（ｌｏｃａｌｉｚｅ）された時間−周波数リソース内のＭＩＢ構成されたＣＯＲＥＳＥＴ、ＲＭＳＩ、ＲＭＳＩ構成されたＣＯＲＥＳＥＴ、初期アクセスのためのｍｓｇ．２／４、ブロードキャストＯＳＩなどに限定することが好ましい。特に、周波数領域に対して、これらの信号を送信するＢＷはＢＷサイズがＵＥ最小ＢＷに比べて小さい単一ＢＷを含むことができる。これから残った問題はＳＳブロックＢＷを含むＵＥ最小ＢＷと別途で単一ＢＷの構成を付加的にサポートするか否かである。
【０１５３】
ＳＳブロックＢＷに対する周波数オフセットの観点から単一ＢＷに対する周波数位置を構成することによってＦＤＭがサポートされ得ると思われる。ＭＩＢで指示される候補周波数オフセット値が最小限「０」、及びＳＳブロックＢＷと重ならないＢＷＰに対応する他の値を含むと、ＳＳブロック及び単一ＢＷのＴＤＭ及びＦＤＭはいずれもサポートされ得るのは勿論である。
【０１５４】
単一ＢＷは周波数オフセットを介してＭＩＢに構成される。単一ＢＷはＭＩＢ構成ヌメロロジー（すなわち、ＣＯＲＥＳＥＴ、ＲＭＳＩ、ＣＯＲＥＳＥＴ構成ＲＭＳＩ、初期アクセスのためのｍｓｇ２／４、ＯＳＩ放送等）によってこれらの信号を伝送するものである。この単一ＢＷはＩＤＬＥ及びＣＯＮＮＥＣＴＥＤモードでアクセスして、このような信号を受信する場合がある。一例で、周波数オフセットを表すための候補値は少なくとも「０」及びＳＳブロックＢＷと重ならないＢＷＰに対応する他の値を含む。他の例で、周波数オフセットに対するビットの数は２ビットに制限される。
【０１５５】
図１２は、本開示の多様な実施形態による無線通信システムにおけるＵＥによって行われ得るシステム情報伝達のための方法１２００のフローチャートを示す。図１２に示した方法１２００の実施形態は単なる説明のためのものである。図１２に示す１つ以上の構成要素は言及された機能を行うように構成された特殊回路、又は言及された機能を行うための命令を実行する１つ以上のプロセッサによって具現され得る１つ以上の構成要素で具現され得る。他の実施形態は本開示の範囲から逸脱することなく用いられる。
【０１５６】
図１２に示すように、方法１２００はステップ１２０５から開始する。ステップ１２０５にて、ＵＥはＢＳからＳＩＢ１  ＣＯＲＥＳＥＴ構成を含むＭＩＢを運搬するＰＢＣＨを含むＳＳ／ＰＢＣＨブロックを受信する。ステップ１２０５にて、ＳＩＢ１  ＣＯＲＥＳＥＴ構成は周波数位置、ＳＳ／ＰＢＣＨブロックと関連付けられたＳＩＢ１  ＣＯＲＥＳＥＴを含む複数のＲＢ及びＳＩＢ１  ＣＯＲＥＳＥＴの時間領域リソースの情報を含む。一部の実施形態では、ＳＩＢ１  ＣＯＲＥＳＥＴの時間領域リソースの情報はＳＩＢ１  ＣＯＲＥＳＥＴに対する複数の連続的なシンボルを含む。一部の実施形態では、ＳＩＢ１  ＣＯＲＥＳＥＴ構成は各スロット内のＳＩＢ１  ＣＯＲＥＳＥＴの個数を示す情報をさらに含み、ＳＩＢ１  ＣＯＲＥＳＥＴの個数の候補値は１又は２の内の１つに決定される。一部の実施形態では、ＳＩＢ１  ＣＯＲＥＳＥＴ構成はＳＩＢ１  ＣＯＲＥＳＥＴの開始ＯＦＤＭシンボル番号を示す情報をさらに含む。
【０１５７】
次いで、ＵＥは、ステップ１２１０にて、周波数位置を含む初期活性ＢＷＰ、ＳＩＢ１  ＣＯＲＥＳＥＴを含むＲＢの数、及びＲＭＳＩのヌメロロジーを決定する。一部の実施形態では、ＳＩＢ１  ＣＯＲＥＳＥＴの周波数位置はＳＳ／ＰＢＣＨブロックの周波数位置からのＳＩＢ１  ＣＯＲＥＳＥＴ帯域幅の周波数オフセットによって構成され、周波数オフセットはＭＩＢに表示される。
【０１５８】
最後に、ＵＥは、ステップ１２１５にて、ＳＩＢ１  ＣＯＲＥＳＥＴ内の少なくとも１つの時間−周波数リソースにマッピングされたＰＤＣＣＨを受信する。前記１２１５ステップにて前記ＰＤＣＣＨはＳＩＢ１を含むＰＤＳＣＨのスケジューリング情報を含む。一部の実施形態では、ＳＩＢ１を伝達するＰＤＳＣＨは初期活性ＢＷＰ内に限定される。一部の実施形態では、ＵＥはステップ１２１５にてＲｘビームを用いてＳＳ／ＰＢＣＨブロックの受信方式に基づいてＳＩＢ１  ＣＯＲＥＳＥＴを受信する。
【０１５９】
本開示の請求項又は明細書に記載された実施形態による方法は、ハードウェア、ソフトウェア、又はハードウェアとソフトウェアの組み合わせの形態で具現される（ｉｍｐｌｅｍｅｎｔｅｄ）ことができる。
【０１６０】
ソフトウェアで具現する場合、１つ以上のプログラム（ソフトウェアモジュール）を記憶するコンピュータ読み取り可能な記憶媒体が提供され得る。コンピュータ読み取り可能な記憶媒体に記憶される１つ以上のプログラムは、電子装置（ｄｅｖｉｃｅ）内の１つ以上のプロセッサによって実行可能に構成される（ｃｏｎｆｉｇｕｒｅｄ  ｆｏｒ  ｅｘｅｃｕｔｉｏｎ）。１つ以上のプログラムは、電子装置に本開示の請求項又は明細書に記載された実施形態による方法を実行させる命令（ｉｎｓｔｒｕｃｔｉｏｎｓ）を含む。
【０１６１】
このようなプログラム（ソフトウェアモジュール、ソフトウェア）はランダムアクセスメモリ（ｒａｎｄｏｍ  ａｃｃｅｓｓ  ｍｅｍｏｒｙ）、フラッシュ（ｆｌａｓｈ）メモリを含む不揮発性（ｎｏｎ−ｖｏｌａｔｉｌｅ）メモリ、ロム（ｒｅａｄ  ｏｎｌｙ  ｍｅｍｏｒｙ、ＲＯＭ）、電気的に消去可能なプログラマブル読み出し専用メモリ（ｅｌｅｃｔｒｉｃａｌｌｙ  ｅｒａｓａｂｌｅ  ｐｒｏｇｒａｍｍａｂｌｅ  ｒｅａｄ  ｏｎｌｙ  ｍｅｍｏｒｙ、ＥＥＰＲＯＭ）、磁気ディスク記憶装置（ｍａｇｎｅｔｉｃ  ｄｉｓｃ  ｓｔｏｒａｇｅ  ｄｅｖｉｃｅ）、コンパクトディスクロム（ｃｏｍｐａｃｔ  ｄｉｓｃ−ＲＯＭ、ＣＤ−ＲＯＭ）、デジタル多目的ディスク（ｄｉｇｉｔａｌ  ｖｅｒｓａｔｉｌｅ  ｄｉｓｃｓ、ＤＶＤｓ）又は他の形態の光学記憶装置、マグネティックカセット（ｍａｇｎｅｔｉｃ  ｃａｓｓｅｔｔｅ）に記憶され得る。又は、これらの一部又は全部の組み合わせで構成されたメモリに記憶され得る。また、各々の構成メモリは多数個が含まれ得る。
【０１６２】
また、プログラムはインターネット（Ｉｎｔｅｒｎｅｔ）、イントラネット（Ｉｎｔｒａｎｅｔ）、ＬＡＮ（ｌｏｃａｌ  ａｒｅａ  ｎｅｔｗｏｒｋ）、ＷＡＮ（ｗｉｄｅ  ａｒｅａ  ｎｅｔｗｏｒｋ）、又はＳＡＮ（ｓｔｏｒａｇｅ  ａｒｅａ  ｎｅｔｗｏｒｋ）などの通信ネットワーク、又はそれらの組み合わせで構成された通信ネットワークを通してアクセス（ａｃｃｅｓｓ）できる脱着可能な（ａｔｔａｃｈａｂｌｅ）記憶装置（ｓｔｏｒａｇｅ  ｄｅｖｉｃｅ）に記憶され得る。このような記憶装置は外部ポートを通して本開示の実施形態を行う装置に接続できる。また、通信ネットワーク上の別途の記憶装置が本開示の実施形態を行う装置に接続することもできる。
【０１６３】
上述の本開示の具体的な実施形態らで、開示に含まれる構成要素は提示された具体的な実施形態によって単数又は複数で表現された。しかし、単数又は複数の表現は説明の便宜のために提示した状況に適するように選択されたものであって、本開示は単数又は複数の構成要素に制限されず、複数で表現された構成要素であっても単数で構成されたり、単数で表現された構成要素であっても複数で構成され得る。
【０１６４】
一方、本開示の詳細な説明では具体的な実施形態に関して説明したが、本開示の範囲から逸脱しない限度内で様々な変形が可能であることが勿論である。よって、本開示の範囲は説明された実施形態に限定されて定められてはならず、後述の特許請求の範囲だけでなく該特許請求の範囲と均等なものによって定められるべきである。
【符号の説明】
【０１６５】
１０２  ｅＮＢ
２０５ａ−２０５ｎ  アンテナ
２１０ａ−２１０ｎ  ＲＦ送受信機
２１５  送信（ｔｒａｎｓｍｉｔ、ＴＸ）処理回路
２２０  受信（ｒｅｃｅｉｖｅ、ＲＸ）処理回路
２２５  制御機／プロセッサ
２３０  メモリ
２３５  バックホール又はネットワークインタフェース
１１６  ＵＥ
３０５  アンテナ
３１０  無線周波数（ｒａｄｉｏ  ｆｒｅｑｕｅｎｃｙ、ＲＦ）送受信機
３１５  ＴＸ処理回路
３２０  マイクロホン
３２５  受信（ＲＸ）処理回路
３３０  スピーカ
３４０  プロセッサ
３４５  入出力インタフェース（ｉｎｔｅｒｆａｃｅ、ＩＦ）
３５０  タッチスクリーン
３５５  ディスプレイ
３６０  メモリ
３６１  オペレーティングシステム（ｏｐｅｒａｔｉｎｇ  ｓｙｓｔｅｍ、ＯＳ）
３６２  アプリケーション
【図１】
2020504971.tif 000006
【図２】
2020504971.tif 000007
【図３】
2020504971.tif 000008
【図４Ａ】
2020504971.tif 000009
【図４Ｂ】
2020504971.tif 000010
【図５】
2020504971.tif 000011
【図６】
2020504971.tif 000012
【図７】
2020504971.tif 000013
【図８】
2020504971.tif 000014
【図９】
2020504971.tif 000015
【図１０】
2020504971.tif 000016
【図１１】
2020504971.tif 000017
【図１２】
2020504971.tif 000018
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
無線通信システムにおける端末の動作方法において、
基地局からＳＩＢ１  ＣＯＲＥＳＥＴ（ｓｙｓｔｅｍ  ｉｎｆｏｒｍａｔｉｏｎ  ｂｌｏｃｋ  １  ｃｏｎｔｒｏｌ  ｒｅｓｏｕｒｃｅ  ｓｅｔ）に対する時間リソース及び周波数リソースに対する情報を含むＳＩＢ１  ＣＯＲＥＳＥＴ構成を含むＭＩＢ（ｍａｓｔｅｒ  ｉｎｆｏｒｍａｔｉｏｎ  ｂｌｏｃｋ）に対するＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔｉｎｇ  ｃｈａｎｎｅｌ）ブロックを受信する過程と、
前記ＳＩＢ１に対する前記時間リソース及び前記周波数リソースに対する前記情報に基づいて初期活性帯域幅部分（ｂａｎｄｗｉｄｔｈ  ｐａｒｔ、ＢＷＰ）を決定する過程と、
前記ＳＩＢ１  ＣＯＲＥＳＥＴ内の少なくとも１つの時間−周波数リソース内のＰＤＣＣＨ（ｐｈｙｓｉｃａｌ  ｄｏｗｎｌｉｎｋ  ｃｏｎｔｒｏｌ  ｃｈａｎｎｅｌ）を受信する過程と、を含み、
前記ＰＤＣＣＨは前記初期活性ＢＷＰ内のＳＩＢ１（ｓｙｓｔｅｍ  ｉｎｆｏｒｍａｔｉｏｎ  ｂｌｏｃｋ  １）に対するＰＤＳＣＨ（ｐｈｙｓｉｃａｌ  ｄｏｗｎｌｉｎｋ  ｓｈａｒｅｄ  ｃｈａｎｎｅｌ）のスケジューリング情報を含む方法。
【請求項２】
前記ＳＩＢ１  ＣＯＲＥＳＥＴに対する前記周波数リソースは前記ＳＳ／ＰＢＣＨブロックの周波数位置から前記ＳＩＢ１  ＣＯＲＥＳＥＴの帯域幅の周波数オフセットによって構成され、
前記周波数オフセットは前記ＭＩＢに表示される請求項１に記載の方法。
【請求項３】
前記ＳＩＢ１に対する前記ＰＤＳＣＨは前記初期活性ＢＷＰ内に限定される請求項１に記載の方法。
【請求項４】
前記ＳＩＢ１  ＣＯＲＥＳＥＴに対する前記時間リソース及び前記周波数リソースに関する情報は前記ＳＩＢ１  ＣＯＲＥＳＥＴに対する連続的なシンボルの個数を含む請求項１に記載の方法。
【請求項５】
前記ＳＩＢ１  ＣＯＲＥＳＥＴ構成は前記ＳＩＢ１  ＣＯＲＥＳＥＴの開始するＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルの番号を示す情報をさらに含む請求項１に記載の方法。
【請求項６】
前記ＳＳ／ＰＢＣＨブロック及び前記ＰＤＳＣＨのリソースブロックに対する前記端末のアンテナポートは空間パラメータに対する受信（ｒｅｃｅｉｖｅ、ＲＸ）モード、遅延及びドップラー拡散の内の少なくとも１つを含むパラメータに対して疑似コロケーション（ｑｕａｓｉ−ｃｏ−ｌｏｃａｔｅｄ）である請求項１に記載の方法。
【請求項７】
前記ＳＳ／ＰＢＣＨブロックの受信方式に基づいて前記ＳＩＢ１  ＣＯＲＥＳＥＴを受信するために受信（ｒｅｃｅｉｖｅ、ＲＸ）ビームを用いる過程をさらに含む請求項１に記載の方法。
【請求項８】
無線通信システムにおける基地局の動作方法において、
端末にＳＩＢ１  ＣＯＲＥＳＥＴ（ｓｙｓｔｅｍ  ｉｎｆｏｒｍａｔｉｏｎ  ｂｌｏｃｋ  １  ｃｏｎｔｒｏｌ  ｒｅｓｏｕｒｃｅ  ｓｅｔ）に対する時間リソース及び周波数リソースに対する情報を含むＳＩＢ１  ＣＯＲＥＳＥＴ構成を含むＭＩＢ（ｍａｓｔｅｒ  ｉｎｆｏｒｍａｔｉｏｎ  ｂｌｏｃｋ）に対するＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔｉｎｇ  ｃｈａｎｎｅｌ）ブロックを伝送する過程と、
前記端末に前記ＳＩＢ１  ＣＯＲＥＳＥＴ内の少なくとも１つの時間−周波数リソース内のＰＤＣＣＨ（ｐｈｙｓｉｃａｌ  ｄｏｗｎｌｉｎｋ  ｃｏｎｔｒｏｌ  ｃｈａｎｎｅｌ）を伝送する過程と、を含み、
前記ＰＤＣＣＨは前記ＳＩＢ１に対する前記時間リソース及び前記周波数リソースに対する前記情報に基づいて決定される初期活性帯域幅部分（ｂａｎｄｗｉｄｔｈ  ｐａｒｔ、ＢＷＰ）内のＳＩＢ１（ｓｙｓｔｅｍ  ｉｎｆｏｒｍａｔｉｏｎ  ｂｌｏｃｋ  １）に対するＰＤＳＣＨ（ｐｈｙｓｉｃａｌ  ｄｏｗｎｌｉｎｋ  ｓｈａｒｅｄ  ｃｈａｎｎｅｌ）のスケジューリング情報を含む方法。
【請求項９】
前記ＳＩＢ１  ＣＯＲＥＳＥＴに対する前記周波数リソースは前記ＳＳ／ＰＢＣＨブロックの周波数位置から前記ＳＩＢ１  ＣＯＲＥＳＥＴの帯域幅の周波数オフセットによって構成され、
前記周波数オフセットは前記ＭＩＢに表示される請求項８に記載の方法。
【請求項１０】
前記ＳＩＢ１に対する前記ＰＤＳＣＨは前記初期活性ＢＷＰ内に限定される請求項８に記載の方法。
【請求項１１】
前記ＳＩＢ１  ＣＯＲＥＳＥＴに対する前記時間リソース及び前記周波数リソースに関する情報は前記ＳＩＢ１  ＣＯＲＥＳＥＴに対する連続的なシンボルの個数を含む請求項８に記載の方法。
【請求項１２】
前記ＳＩＢ１  ＣＯＲＥＳＥＴ構成は前記ＳＩＢ１  ＣＯＲＥＳＥＴの開始するＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルの番号を示す情報をさらに含む請求項８に記載の方法。
【請求項１３】
前記ＳＳ／ＰＢＣＨブロック及び前記ＰＤＳＣＨのリソースブロックに対する前記端末のアンテナポートは空間パラメータに対する受信（ｒｅｃｅｉｖｅ、ＲＸ）モード、遅延及びドップラー拡散の内の少なくとも１つを含むパラメータに対して疑似コロケーション（ｑｕａｓｉ−ｃｏ−ｌｏｃａｔｅｄ）である請求項８に記載の方法。
【請求項１４】
無線通信システムにおける端末の装置において、
トランシーバ；及び
前記トランシーバと機能的に接続された少なくとも１つのプロセッサを含み、
前記少なくとも１つのプロセッサは、
基地局からＳＩＢ１  ＣＯＲＥＳＥＴ（ｓｙｓｔｅｍ  ｉｎｆｏｒｍａｔｉｏｎ  ｂｌｏｃｋ  １  ｃｏｎｔｒｏｌ  ｒｅｓｏｕｒｃｅ  ｓｅｔ）に対する時間リソース及び周波数リソースに対する情報を含むＳＩＢ１  ＣＯＲＥＳＥＴ構成を含むＭＩＢ（ｍａｓｔｅｒ  ｉｎｆｏｒｍａｔｉｏｎ  ｂｌｏｃｋ）に対するＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔｉｎｇ  ｃｈａｎｎｅｌ）ブロックを受信し、
前記ＳＩＢ１に対する前記時間リソース及び前記周波数リソースに対する前記情報に基づいて初期活性帯域幅部分（ｂａｎｄｗｉｄｔｈ  ｐａｒｔ、ＢＷＰ）を決定し、
前記ＳＩＢ１  ＣＯＲＥＳＥＴ内の少なくとも１つの時間−周波数リソース内のＰＤＣＣＨ（ｐｈｙｓｉｃａｌ  ｄｏｗｎｌｉｎｋ  ｃｏｎｔｒｏｌ  ｃｈａｎｎｅｌ）を受信するように構成され、
前記ＰＤＣＣＨは前記初期活性ＢＷＰ内のＳＩＢ１（ｓｙｓｔｅｍ  ｉｎｆｏｒｍａｔｉｏｎ  ｂｌｏｃｋ  １）に対するＰＤＳＣＨ（ｐｈｙｓｉｃａｌ  ｄｏｗｎｌｉｎｋ  ｓｈａｒｅｄ  ｃｈａｎｎｅｌ）のスケジューリング情報を含む装置。
【請求項１５】
前記ＳＩＢ１  ＣＯＲＥＳＥＴに対する前記周波数リソースは前記ＳＳ／ＰＢＣＨブロックの周波数位置から前記ＳＩＢ１  ＣＯＲＥＳＥＴの帯域幅の周波数オフセットによって構成され、
前記周波数オフセットは前記ＭＩＢに表示される請求項１４に記載の装置。
【請求項１６】
前記ＳＩＢ１に対する前記ＰＤＳＣＨは前記初期活性ＢＷＰ内に限定される請求項１５に記載の装置。
【請求項１７】
前記ＳＩＢ１  ＣＯＲＥＳＥＴに対する前記時間リソース及び前記周波数リソースに関する情報は前記ＳＩＢ１  ＣＯＲＥＳＥＴに対する連続的なシンボルの個数を含む請求項１５に記載の装置。
【請求項１８】
前記ＳＩＢ１  ＣＯＲＥＳＥＴ構成は前記ＳＩＢ１  ＣＯＲＥＳＥＴの開始するＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルの番号を示す情報をさらに含む請求項１５に記載の装置。
【請求項１９】
前記ＳＳ／ＰＢＣＨブロック及び前記ＰＤＳＣＨのリソースブロックに対する前記端末のアンテナポートは空間パラメータに対する受信（ｒｅｃｅｉｖｅ、ＲＸ）モード、遅延及びドップラー拡散の内の少なくとも１つを含むパラメータに対して疑似コロケーション（ｑｕａｓｉ−ｃｏ−ｌｏｃａｔｅｄ）である請求項１５に記載の装置。
【請求項２０】
前記少なくとも１つのプロセッサは、
前記ＳＳ／ＰＢＣＨブロックの受信方式に基づいて前記ＳＩＢ１  ＣＯＲＥＳＥＴを受信するために受信（ｒｅｃｅｉｖｅ、ＲＸ）ビームを用いるようにさらに構成された請求項１５に記載の装置。
【請求項２１】
無線通信システムにおける基地局の装置において、
トランシーバ；及び
前記トランシーバと機能的に接続された少なくとも１つのプロセッサを含み、
前記少なくとも１つのプロセッサは、
端末にＳＩＢ１  ＣＯＲＥＳＥＴ（ｓｙｓｔｅｍ  ｉｎｆｏｒｍａｔｉｏｎ  ｂｌｏｃｋ  １  ｃｏｎｔｒｏｌ  ｒｅｓｏｕｒｃｅ  ｓｅｔ）に対する時間リソース及び周波数リソースに対する情報を含むＳＩＢ１  ＣＯＲＥＳＥＴ構成を含むＭＩＢ（ｍａｓｔｅｒ  ｉｎｆｏｒｍａｔｉｏｎ  ｂｌｏｃｋ）に対するＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔｉｎｇ  ｃｈａｎｎｅｌ）ブロックを伝送し、
前記端末に前記ＳＩＢ１  ＣＯＲＥＳＥＴ内の少なくとも１つの時間−周波数リソース内のＰＤＣＣＨ（ｐｈｙｓｉｃａｌ  ｄｏｗｎｌｉｎｋ  ｃｏｎｔｒｏｌ  ｃｈａｎｎｅｌ）を伝送するように構成され、
前記ＰＤＣＣＨは前記ＳＩＢ１（ｓｙｓｔｅｍ  ｉｎｆｏｒｍａｔｉｏｎ  ｂｌｏｃｋ  １）に対する前記時間リソース及び前記周波数リソースに対する前記情報に基づいて決定される初期活性帯域幅部分（ｂａｎｄｗｉｄｔｈ  ｐａｒｔ、ＢＷＰ）内のＳＩＢ１に対するＰＤＳＣＨ（ｐｈｙｓｉｃａｌ  ｄｏｗｎｌｉｎｋ  ｓｈａｒｅｄ  ｃｈａｎｎｅｌ）のスケジューリング情報を含む装置。
【請求項２２】
前記ＳＩＢ１  ＣＯＲＥＳＥＴに対する前記周波数リソースは前記ＳＳ／ＰＢＣＨブロックの周波数位置から前記ＳＩＢ１  ＣＯＲＥＳＥＴの帯域幅の周波数オフセットによって構成され、
前記周波数オフセットは前記ＭＩＢに表示される請求項２１に記載の装置。
【請求項２３】
前記ＳＩＢ１に対する前記ＰＤＳＣＨは前記初期活性ＢＷＰ内に限定される請求項２１に記載の装置。
【請求項２４】
前記ＳＩＢ１  ＣＯＲＥＳＥＴに対する前記時間リソース及び前記周波数リソースに関する情報は前記ＳＩＢ１  ＣＯＲＥＳＥＴに対する連続的なシンボルの個数を含む請求項２１に記載の装置。
【請求項２５】
前記ＳＩＢ１  ＣＯＲＥＳＥＴ構成は前記ＳＩＢ１  ＣＯＲＥＳＥＴの開始するＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルの番号を示す情報をさらに含む請求項２１に記載の装置。
【請求項２６】
前記ＳＳ／ＰＢＣＨブロック及び前記ＰＤＳＣＨのリソースブロックに対する前記端末のアンテナポートは空間パラメータに対する受信（ｒｅｃｅｉｖｅ、ＲＸ）モード、遅延及びドップラー拡散の内の少なくとも１つを含むパラメータに対して疑似コロケーション（ｑｕａｓｉ−ｃｏ−ｌｏｃａｔｅｄ）である請求項２１に記載の装置。
【国際調査報告】
2020504971.tif 000019
2020504971.tif 000020